(57)【特許請求の範囲】
【請求項１】
端末機器がネットワーク機器から送信される指示情報を受信し、但し、前記指示情報は、下り伝送チャネルを伝送するための、複数の設定情報のうち前記ネットワーク機器によって決定された前記下り伝送チャネルに対応するビームを指示し、前記複数の設定情報内の各設定情報は、少なくとも１つの送信ビームの情報、前記少なくとも１つの送信ビームに対応する受信ビームの情報、及び前記下り伝送に使用できるか又は使用できないリソースを指示するリソースマッピング情報のうち、少なくとも１つを含むステップ（３０１）と、
前記端末機器が前記指示情報に応じて前記下り伝送チャネルに対応する受信ビームを決定するステップ（３０２）と、
前記端末機器が前記下り伝送チャネルに対応する受信ビームを介して前記下り伝送チャネルを受信するステップ（３０３）と、
を含み、
前記下り伝送チャネルは、データチャネルを含み、前記下り伝送チャネルに対応するビームは、前記データチャネルに対応する送信ビームを含み、
前記端末機器がネットワーク機器から送信される指示情報を受信するステップは、前記端末機器はネットワーク機器がビームグループ内のビームを介して送信する物理的下り制御チャネルＰＤＣＣＨを受信することを含み、但し、前記ＰＤＣＣＨの指示フィールドは、前記データチャネルに対応する送信ビームの番号を含む前記指示情報を含み、前記指示情報は前記ネットワーク機器がビームグループ内の前記番号に対応する送信ビームを使用して前記データチャネルを送信することを具体的に指示し、前記複数の設定情報内の設定情報は、後者のビームグループに対応し、前記設定情報は、前記ネットワーク機器が予め設定した、前記端末機器が前記データチャネルを受信するための設定情報であり、
前記端末機器が前記指示情報に応じて前記下り伝送チャネルに対応する受信ビームを決定するステップは、
前記端末機器が前記番号に対応する送信ビームに応じて前記送信ビームに対応する受信ビームを決定することと、
前記送信ビームに対応する受信ビームを介して前記データチャネルを受信することと、を含むこと、を特徴とする情報伝送方法。
【請求項２】
前記各設定情報は、１つのビームグループに対応し、
前記少なくとも１つの送信ビームの情報における各送信ビームの情報は、前記各送信ビームの識別情報、前記各送信ビームの固有のリソース占用の情報、及び前記各設定情報に対応するビームグループにおける前記各送信ビームの番号のうち、少なくとも１つを含むこと、を特徴とする請求項１に記載の方法。
【請求項３】
前記少なくとも１つの送信ビームに対応する受信ビームの情報は、前記少なくとも１つの送信ビームに対応する受信ビームの識別情報を含むこと、を特徴とする請求項１又は２に記載の方法。
【請求項４】
前記リソースマッピング情報は、前記少なくとも１つの送信ビームの、下り伝送に使用できるリソース又は下り伝送に使用できないリソースを指示する、少なくとも１つのデータ伝送用リソースマッピング情報を含むこと、を特徴とする請求項１又は２に記載の方法。
【請求項５】
前記の端末機器がネットワーク機器から送信される指示情報を受信するステップは、前記端末機器が第１のビームグループ内のビームを介してネットワーク機器から送信されるＰＤＣＣＨを受信することを含み、但し、前記ＰＤＣＣＨの第１の指示フィールドは、前記データチャネルに対応する送信ビームの番号を含む前記指示情報を含み、前記指示情報は、前記ネットワーク機器が前記第１のビームグループ内の前記番号に対応する送信ビームを使用して前記データチャネルを送信することを具体的に指示し、前記複数の設定情報内の第１の設定情報は、前記第１のビームグループに対応し、前記第１の設定情報は、前記ネットワーク機器が予め設定した、前記端末機器が前記データチャネルを受信するための設定情報であり、
前記端末機器が前記指示情報に応じて前記下り伝送チャネルに対応する受信ビームを決定するステップは、
前記端末機器が前記番号に対応する送信ビームに応じて、前記送信ビームに対応する受信ビームを決定することと、
前記送信ビームに対応する受信ビームを介して前記データチャネルを受信することとを含むこと、を特徴とする請求項２に記載の方法。
【請求項６】
前記方法は、さらに、
前記端末機器が前記ネットワーク機器から送信される第１のシグナリングを受信することを含み、但し、前記第１のシグナリングは、前記ネットワーク機器が前記複数の設定情報内の第１の設定情報を使用して前記データチャネルを送信することを指示する第１の設定指示情報を含むこと、を特徴とする請求項５に記載の方法。
【請求項７】
前記第１のシグナリングは、無線リソース制御ＲＲＣシグナリング又は下り制御情報ＤＣＩであること、を特徴とする請求項６に記載の方法。
【請求項８】
前記下り伝送チャネルに対応するビームは、前記データチャネルに対応する受信ビームを含み、
前記の端末機器がネットワーク機器から送信される指示情報を受信するステップは、前記端末機器が第２のビームグループ内のビームを介して前記ネットワーク機器から送信されるＰＤＣＣＨを受信することを含み、但し、前記ＰＤＣＣＨの第２の指示フィールドは、前記データチャネルに対応する受信ビームの識別情報を含む前記指示情報を含み、前記指示情報が前記端末機器に前記識別情報に対応する受信ビームを使用してデータチャネルを受信するように具体的に指示すること、を特徴とする請求項３に記載の方法。
【請求項９】
前記の端末機器がネットワーク機器から送信される指示情報を受信するステップは、前記端末機器が第３のビームグループ内のビームを介して前記ネットワーク機器から送信されるＰＤＣＣＨを受信することを含み、但し、前記ＰＤＣＣＨの第３の指示フィールドは、データチャネルに対応する送信ビームの第４のビームグループ内での番号を含む前記指示情報を含み、前記指示情報は、前記ネットワーク機器が前記第４のビームグループ内の前記番号に対応する送信ビームを使用してデータチャネルを送信することを具体的に指示し、前記複数の設定情報内の第２の設定情報は、前記第４のビームグループに対応し、前記第２の設定情報は、前記ネットワーク機器が予め設定した、前記端末機器が前記データチャネルを受信するための設定情報であり、
前記端末機器が前記指示情報に応じて前記下り伝送チャネルに対応する受信ビームを決定するステップは、
前記端末機器が前記番号に対応する送信ビームに応じて前記送信ビームに対応する受信ビームを決定することと、
前記送信ビームに対応する受信ビームを介して前記データチャネルを受信することとを含むこと、を特徴とする請求項１又は２に記載の方法。
【請求項１０】
前記方法は、さらに、
前記端末機器が前記ネットワーク機器から送信される第２のシグナリングを受信することを含み、但し、前記第２のシグナリングは、前記ネットワーク機器が前記複数の設定情報のうち前記第２の設定情報を使用して前記データチャネルを送信することを指示する第２の設定指示情報を含むこと、を特徴とする請求項９に記載の方法。
【請求項１１】
前記第２のシグナリングは、無線リソース制御ＲＲＣシグナリング又は下り制御情報ＤＣＩであること、を特徴とする請求項１０に記載の方法。
【請求項１２】
前記方法は、さらに、
前記端末機器が前記ネットワーク機器から送信されるＰＤＣＣＨを受信することを含み、但し、前記ＰＤＣＣＨは、前記ネットワーク機器に使用される、データチャネルを送信するための設定情報を指示する第３の設定指示情報を含むこと、を特徴とする請求項１又は２に記載の方法。
【請求項１３】
前記少なくとも１つのデータ伝送用リソースマッピング情報は、複数のデータ伝送用リソースマッピング情報を含み、
前記方法は、さらに、前記端末機器が前記ネットワーク機器から送信されるＰＤＣＣＨを受信することを含み、但し、前記ＰＤＣＣＨは、前記ネットワーク機器が前記下り伝送チャネルの伝送に使用するデータ伝送用リソースマッピング情報を指示する第４の指示フィールドを含むこと、を特徴とする請求項４に記載の方法。
【請求項１４】
前記の端末機器がネットワーク機器から送信される指示情報を受信するステップは、前記端末機器が第５のビームグループ内のビームを介して前記ネットワーク機器から送信されるＰＤＣＣＨを受信することを含み、但し、前記ＰＤＣＣＨの第５の指示フィールドは、データチャネルに対応する送信ビームの第６のビームグループ内での番号を含む前記指示情報を含み、前記指示情報は、前記ネットワーク機器が前記第６のビームグループ内の前記番号に対応する送信ビームを使用して前記データチャネルを送信することを具体的に指示し、前記第５のビームグループは、前記第６のビームグループに関連するビームグループであり、
前記端末機器が前記指示情報に応じて前記下り伝送チャネルに対応する受信ビームを決定するステップは、
前記端末機器が前記番号に対応する送信ビームに応じて前記送信ビームに対応する受信ビームを決定することと、
前記送信ビームに対応する受信ビームを介して前記データチャネルを受信することとを含むこと、を特徴とする請求項２に記載の方法。
【請求項１５】
前記方法は、さらに、
前記端末機器が前記ネットワーク機器から送信される前記複数の設定情報を受信することを含むこと、を特徴とする請求項１又は２に記載の方法。
【請求項１６】
端末機器に指示情報を送信するために用いられ、但し、前記指示情報は、下り伝送チャネルを伝送するための、複数の設定情報のうちネットワーク機器によって決定された前記下り伝送チャネルに対応するビームを指示し、前記複数の設定情報内の各設定情報は、少なくとも１つの送信ビームの情報、前記少なくとも１つの送信ビームに対応する受信ビームの情報、及び前記少なくとも１つの送信ビームの下り伝送に使用できるか又は使用できないリソースを指示するリソースマッピング情報のうち、少なくとも１つを含む、送受信ユニット（４１０）を含み、
前記送受信ユニット（４１０）は、さらに、前記下り伝送チャネルに対応するビームを介して前記下り伝送チャネルを伝送するために用いられ、
前記下り伝送チャネルは、データチャネルを含み、前記下り伝送チャネルに対応するビームは、前記データチャネルに対応する送信ビームを含み、
前記送受信ユニット（４１０）は、さらに、ビームグループ内のビームを介して前記端末機器に物理的下り制御チャネルＰＤＣＣＨを送信するために用いられ、但し、前記ＰＤＣＣＨの指示フィールドは、前記データチャネルに対応する送信ビームの番号を含む前記指示情報を含み、前記指示情報は前記ネットワーク機器がビームグループ内の前記番号に対応する送信ビームを使用して前記データチャネルを送信することを具体的に指示し、前記複数の設定情報内の設定情報は、後者のビームグループに対応し、前記設定情報は、前記ネットワーク機器が予め設定した、前記端末機器が前記データチャネルを受信するための設定情報であること、を特徴とするネットワーク機器。
【請求項１７】
前記各設定情報は、１つのビームグループに対応し、
前記少なくとも１つの送信ビームの情報における各送信ビームの情報は、前記各送信ビームの識別情報、前記各送信ビームの固有のリソース占用の情報、及び前記各設定情報に対応するビームグループにおける前記各送信ビームの番号のうち、少なくとも１つを含むこと、を特徴とする請求項１６に記載のネットワーク機器。
【請求項１８】
前記少なくとも１つの送信ビームに対応する受信ビームの情報は、前記少なくとも１つの送信ビームに対応する受信ビームの識別情報を含むこと、を特徴とする請求項１６又は１７に記載のネットワーク機器。
【請求項１９】
前記リソースマッピング情報は、前記少なくとも１つの送信ビームの、下り伝送に使用できるリソース又は下り伝送に使用できないリソースを指示する、少なくとも１つのデータ伝送用リソースマッピング情報を含むこと、を特徴とする請求項１６又は１７に記載のネットワーク機器。
【請求項２０】
前記送受信ユニット（４１０）は、さらに、第１のビームグループ内のビームを介して前記端末機器にＰＤＣＣＨを送信するために用いられ、但し、前記ＰＤＣＣＨの第１の指示フィールドは、前記データチャネルに対応する送信ビームの番号を含む前記指示情報を含み、前記指示情報は前記ネットワーク機器が前記第１のビームグループ内の前記番号に対応する送信ビームを使用してデータチャネルを送信することを具体的に指示し、前記複数の設定情報内の第１の設定情報は、前記第１のビームグループに対応し、前記第１の設定情報は、前記ネットワーク機器が予め設定した、前記端末機器が前記データチャネルを受信するための設定情報であること、を特徴とする請求項１７に記載のネットワーク機器。
【請求項２１】
ネットワーク機器から送信される指示情報を受信するために用いられ、但し、前記指示情報は、下り伝送チャネルを伝送するための、複数の設定情報のうち前記ネットワーク機器によって決定された前記下り伝送チャネルに対応するビームを指示し、前記複数の設定情報内の各設定情報は、少なくとも１つの送信ビームの情報、前記少なくとも１つの送信ビームに対応する受信ビームの情報、及び下り伝送に使用できるか又は使用できないリソースを指示するリソースマッピング情報のうち、少なくとも１つを含む、受信ユニット（５１０）と、
前記指示情報に応じて前記下り伝送チャネルに対応する受信ビームを決定するために用いられる決定ユニット（５２０）と、を含み、
前記受信ユニット（５１０）は、さらに、前記下り伝送チャネルに対応する受信ビームを介して前記下り伝送チャネルを受信するために用いられ、
前記下り伝送チャネルは、データチャネルを含み、前記下り伝送チャネルに対応するビームは、前記データチャネルに対応する送信ビームを含み、
前記受信ユニット（５１０）は、さらに、ネットワーク機器がビームグループ内のビームを介して送信する物理的下り制御チャネルＰＤＣＣＨを受信するために用いられ、但し、前記ＰＤＣＣＨの指示フィールドは、前記データチャネルに対応する送信ビームの番号を含む前記指示情報を含み、前記指示情報は前記ネットワーク機器がビームグループ内の前記番号に対応する送信ビームを使用して前記データチャネルを送信することを具体的に指示し、前記複数の設定情報内の設定情報は、後者のビームグループに対応し、前記設定情報は、前記ネットワーク機器が予め設定した、前記端末機器が前記データチャネルを受信するための設定情報であり、
前記決定ユニット（５２０）は、具体的に、
前記番号に対応する送信ビームに応じて前記送信ビームに対応する受信ビームを決定するために用いられ、
前記受信ユニット（５１０）は、具体的に、
前記送信ビームに対応する受信ビームを介して前記データチャネルを受信するために用いられること、を特徴とする端末機器。
【請求項２２】
前記各設定情報は、１つのビームグループに対応し、
前記少なくとも１つの送信ビームの情報における各送信ビームの情報は、前記各送信ビームの識別情報、前記各送信ビームの固有のリソース占用の情報、及び前記各送信ビームが所属するビームグループ内での前記各送信ビームの番号のうち少なくとも1つを含むこと、を特徴とする請求項２１に記載の端末機器。
【請求項２３】
前記少なくとも１つの送信ビームに対応する受信ビームの情報は、前記少なくとも１つの送信ビームに対応する受信ビームの識別情報を含むこと、を特徴とする請求項２１又は２２に記載の端末機器。
【請求項２４】
前記リソースマッピング情報は、前記少なくとも１つの送信ビームの、下り伝送に使用できるリソース又は下り伝送に使用できないリソースを指示する、少なくとも１つのデータ伝送用リソースマッピング情報を含むこと、を特徴とする請求項２１又は２２に記載の端末機器。
【請求項２５】
前記受信ユニットは、さらに、第１のビームグループ内のビームを介して前記ネットワーク機器から送信されるＰＤＣＣＨを受信するために用いられ、但し、前記ＰＤＣＣＨの第１の指示フィールドは、前記データチャネルに対応する送信ビームの番号を含む前記指示情報を含み、前記指示情報は、前記ネットワーク機器が前記第１のビームグループ内の前記番号に対応する送信ビームを使用してデータチャネルを送信することを具体的に指示し、前記複数の設定情報内の第１の設定情報は、前記第１のビームグループに対応し、前記第１の設定情報は、前記ネットワーク機器が予め設定した、前記端末機器が前記データチャネルを受信するための設定情報であり、
前記決定ユニット（５２０）は、具体的には、
前記番号に対応する送信ビームに応じて前記送信ビームに対応する受信ビームを決定するために用いられ、
前記受信ユニット（５１０）は、具体的には、
前記送信ビームに対応する受信ビームを介して前記データチャネルを受信するために用いられること、を特徴とする請求項２２に記載の端末機器。
【請求項２６】
前記受信ユニット（５１０）は、さらに、
前記ネットワーク機器から送信される第１のシグナリングを受信するために用いられ、但し、前記第１のシグナリングは前記ネットワーク機器が前記複数の設定情報内の第１の設定情報を使用して前記データチャネルを送信することを指示する第１の設定指示情報を含むこと、を特徴とする請求項２５に記載の端末機器。
【請求項２７】
前記第１のシグナリングは、無線リソース制御ＲＲＣシグナリング又は下り制御情報ＤＣＩであること、を特徴とする請求項２６に記載の端末機器。
【請求項２８】
前記下り伝送チャネルに対応するビームは、前記データチャネルに対応する受信ビームを含み、
前記受信ユニット（５１０）は、さらに、第２のビームグループ内のビームを介して前記ネットワーク機器から送信されるＰＤＣＣＨを受信するために用いられ、但し、前記ＰＤＣＣＨの第２の指示フィールドは、前記データチャネルに対応する受信ビームの識別情報を含む前記指示情報を含み、前記指示情報は、前記端末機器に前記識別情報に対応する受信ビームを使用してデータチャネルを受信するように具体的に指示すること、を特徴とする請求項２３に記載の端末機器。
【請求項２９】
前記受信ユニット（５１０）は、さらに、第３のビームグループ内のビームを介して前記ネットワーク機器から送信されるＰＤＣＣＨを受信するためにさらに用いられ、但し、前記ＰＤＣＣＨの第３の指示フィールドは、データチャネルに対応する送信ビームの第４のビームグループ内での番号を含む前記指示情報を含み、前記指示情報は、前記ネットワーク機器が前記第４のビームグループ内の前記番号に対応する送信ビームを使用してデータチャネルを送信することを具体的に指示し、前記複数の設定情報内の第２の設定情報は、前記第４のビームグループに対応し、前記第２の設定情報は、前記ネットワーク機器が予め設定した、前記端末機器が前記データチャネルを受信するための設定情報であること、を特徴とする請求項２１又は２２のいずれか１項に記載の端末機器。
【請求項３０】
前記受信ユニット（５１０）は、さらに、
前記ネットワーク機器から送信される第２のシグナリングを受信するために用いられ、但し、前記第２のシグナリングは、前記ネットワーク機器が前記複数の設定情報内の第２の設定情報を使用してデータチャネルを送信することを指示する第２の設定指示情報を含むこと、を特徴とする請求項２９に記載の端末機器。
【請求項３１】
前記第２のシグナリングは、無線リソース制御ＲＲＣシグナリング又は下り制御情報ＤＣＩであることを特徴とする請求項３０に記載の端末機器。
【請求項３２】
前記受信ユニット（５１０）は、さらに、
前記ネットワーク機器から送信されるＰＤＣＣＨを受信するために用いられ、但し、前記ＰＤＣＣＨは、前記ネットワーク機器に使用される、データチャネルを送信するための設定情報を指示する第３の設定指示情報を含むこと、を特徴とする請求項２１又は２２に記載の端末機器。
【請求項３３】
前記少なくとも１つのデータ伝送用リソースマッピング情報は、複数のデータ伝送用リソースマッピング情報を含み、
前記受信ユニット（５１０）は、さらに、前記ネットワーク機器から送信されるＰＤＣＣＨを受信するために用いられ、但し、前記ＰＤＣＣＨは、前記ネットワーク機器が前記下り伝送チャネルの伝送に使用するデータ伝送用リソースマッピング情報を指示する第４の指示フィールドを含むこと、を特徴とする請求項２４に記載の端末機器。
【請求項３４】
前記受信ユニット（５１０）は、さらに、前記ネットワーク機器が第５のビームグループ内のビームを介して送信したＰＤＣＣＨを受信するためにさらに用いられ、前記ＰＤＣＣＨの第５の指示フィールドが、前記指示情報を含み、前記指示情報が、データチャネルに対応する送信ビームの第６のビームグループ内での番号を含み、前記指示情報は、前記ネットワーク機器が第６のビームグループ内の前記番号に対応する送信ビームで前記データチャネルを送信することを具体的に指示し、前記第５のビームグループは、前記第６のビームグループに関連するビームグループであること、を特徴とする請求項２２に記載の端末機器。
【請求項３５】
前記受信ユニット（５１０）は、さらに、
前記ネットワーク機器から送信される前記複数の設定情報を受信するために用いられること、を特徴とする請求項２１又は２２に記載の端末機器。
【発明の詳細な説明】
【技術分野】
【０００１】
本願は、通信分野に関し、より具体的には、情報伝送方法、ネットワーク機器及び端末機器に関する。
【背景技術】
【０００２】
新しい無線（Ｎｅｗ  Ｒａｄｉｏ、ＮＲ）システムとも呼ばれる５Ｇシステムにおいて、マルチビーム（ｍｕｌｔｉ−ｂｅａｍ）で異なる方向及び領域をカバーすることができ、下り伝送にとって、ネットワーク機器の異なる下り送信ビームに最もマッチングするのは対応する端末機器の異なる受信ビームでありえる。例えば、ネットワーク機器の送受信ポイント（Ｔｒａｎｓｍｉｓｓｉｏｎ  Ｒｅｃｅｐｔｉｏｎ  Ｐｏｉｎｔ、略称ＴＲＰ）１の２つの送信ビームの最適な受信ビームは、端末機器のビーム１であり、端末機器がビーム２を使用してＴＲＰ１の任意１つの送信ビームから送信される信号を受信する場合、いずれも受信性能が低い。同様に、ネットワーク機器のＴＲＰ２の２つの送信ビームの最適な受信ビームは、端末機器のビーム２であり、端末機器がビーム１を使用してＴＲＰ２の任意１つの送信ビームから送信される信号を受信すると、いずれも受信性能が低い。したがって、下り受信性能を向上させるために、下り伝送チャネルに対応するビームを指示することができる指示方法を必要とする。
【発明の概要】
【発明が解決しようとする課題】
【０００３】
本願の実施例は、下り伝送チャネルに対応するビームを端末機器に通知して、それにより下り受信性能を向上させることができる情報伝送方法、ネットワーク機器及び端末機器を提供する。
【課題を解決するための手段】
【０００４】
第１の態様では、ネットワーク機器が端末機器に指示情報を送信し、但し、前記指示情報は、下り伝送チャネルを伝送するための、複数の設定情報のうち前記ネットワーク機器によって決定された前記下り伝送チャネルに対応するビームを指示し、前記複数の設定情報内の各設定情報は、少なくとも１つの送信ビームの情報、前記少なくとも１つの送信ビームに対応する受信ビームの情報、及び前記少なくとも１つの送信ビームの下り伝送に使用できるか又は使用できないリソースを指示するリソースマッピング情報のうち、少なくとも１つを含むステップと、前記ネットワーク機器が前記下り伝送チャネルに対応するビームを介して前記下り伝送チャネルを伝送するステップと、を含む情報伝送方法を提供する。
【０００５】
一つの実施例として、前記各設定情報は１つのビームグループに対応し、
前記少なくとも１つの送信ビームの情報における各送信ビームの情報は、前記各送信ビームの識別情報、前記各送信ビームの固有のリソース占用の情報、及び前記各設定情報に対応するビームグループにおける前記各送信ビームの番号のうち、少なくとも１つを含む。
【０００６】
一つの実施例として、前記少なくとも１つの送信ビームに対応する受信ビームの情報は、前記少なくとも１つの送信ビームに対応する受信ビームの識別情報を含む。
【０００７】
一つの実施例として、前記リソースマッピング情報は、前記少なくとも１つの送信ビームの、下り伝送に使用できるリソース又は下り伝送に使用できないリソースを指示する、少なくとも１つのデータ伝送用リソースマッピング情報を含む。
【０００８】
一つの実施例として、前記下り伝送チャネルは、データチャネルを含み、前記下り伝送チャネルに対応するビームは、前記データチャネルに対応する送信ビームを含み、前記のネットワーク機器が端末機器に指示情報を送信するステップは、前記ネットワーク機器が第１のビームグループ内のビームを介して前記端末機器に物理的下り制御チャネルＰＤＣＣＨを送信することを含み、但し、前記ＰＤＣＣＨの第１の指示フィールドは、前記データチャネルに対応する送信ビームの番号を含む前記指示情報を含み、前記指示情報は前記ネットワーク機器が前記第１のビームグループ内の前記番号に対応する送信ビームを使用してデータチャネルを送信することを具体的に指示し、前記複数の設定情報内の第１の設定情報は、前記第１のビームグループに対応し、前記第１の設定情報は、前記ネットワーク機器が予め設定した、前記端末機器が前記データチャネルを受信するための設定情報である。
【０００９】
一つの実施例として、前記方法は、さらに、前記ネットワーク機器が前記端末機器に第１のシグナリングを送信することを含み、但し、前記第１のシグナリングは、前記ネットワーク機器が前記第１の設定情報を使用して前記データチャネルを送信することを指示する第１の設定指示情報を含む。
【００１０】
一つの実施例として、前記第１のシグナリングは、無線リソース制御ＲＲＣシグナリング又は下り制御情報ＤＣＩである。
【００１１】
一つの実施例として、前記下り伝送チャネルは、データチャネルを含み、前記下り伝送チャネルに対応するビームは、前記データチャネルに対応する受信ビームを含み、前記のネットワーク機器が端末機器に指示情報を送信するステップは、前記ネットワーク機器が前記端末機器に第２のビームグループ内のビームを介してＰＤＣＣＨを送信することを含み、但し、前記ＰＤＣＣＨの第２の指示フィールドは、前記データチャネルに対応する受信ビームの識別情報を含む前記指示情報を含み、前記指示情報は、前記端末機器に前記識別情報に対応する受信ビームを使用してデータチャネルを受信するように具体的に指示する。
【００１２】
一つの実施例として、前記下り伝送チャネルは、データチャネルを含み、前記下り伝送チャネルに対応するビームは、前記データチャネルに対応する送信ビームを含み、前記のネットワーク機器が端末機器に指示情報を送信するステップは、前記ネットワーク機器が第３のビームグループ内のビームを介して前記端末機器にＰＤＣＣＨを送信することを含み、但し、前記ＰＤＣＣＨの第３の指示フィールドは、データチャネルに対応するビームの第４のビームグループ内での番号を含む前記指示情報を含み、前記指示情報は、前記ネットワーク機器が前記第４のビームグループ内の前記番号に対応する送信ビームを使用してデータチャネルを送信することを具体的に指示し、前記複数の設定情報内の第２の設定情報は、前記第４のビームグループに対応し、前記第２の設定情報は、前記ネットワーク機器が予め設定した、前記端末機器が前記データチャネルを受信するための設定情報である。
【００１３】
一つの実施例として、前記方法は、さらに、前記ネットワーク機器が前記端末機器に第２のシグナリングを送信することを含み、但し、前記第２のシグナリングは、前記ネットワーク機器が前記複数の設定情報のうち前記第２の設定情報を使用してデータチャネルを送信することを指示する第２の設定指示情報を含む。
【００１４】
一つの実施例として、前記第２のシグナリングは、ＲＲＣシグナリング又はＤＣＩである。
【００１５】
一実施例として、前記情報伝送方法は、さらに、前記ネットワーク機器が前記端末機器にＰＤＣＣＨを送信することを含み、但し、前記ＰＤＣＣＨは、前記ネットワーク機器に使用される、データチャネルを送信するための設定情報を指示する第３の設定指示情報を含む。
【００１６】
すなわち、当該第３の設定指示情報は、当該ネットワーク機器が当該複数の設定情報内のどの設定情報を使用するかを指示する。
【００１７】
すなわち、当該ネットワーク機器は、ＰＤＣＣＨを介して当該ネットワーク機器が当該複数の設定情報内のどの設定情報を使用してデータチャネルを送信するかを動的に指示することができる。
【００１８】
一つの実施例として、前記少なくとも１つのデータ伝送用リソースマッピング情報は、複数のデータ伝送用リソースマッピング情報を含み、前記方法は、さらに、前記ネットワーク機器が前記端末機器にＰＤＣＣＨを送信することを含み、但し、前記ＰＤＣＣＨは、前記ネットワーク機器が前記下り伝送チャネルの伝送に使用するデータ伝送用リソースマッピング情報を指示する第４の指示フィールドを含む。
【００１９】
すなわち、前記第４の指示フィールドは、前記ネットワーク機器が前記複数のデータ伝送用リソースマッピング情報のうちどのデータ伝送用リソースマッピング情報を使用するかを指示する。
【００２０】
一つの実施例として、前記下り伝送チャネルは、データチャネルを含み、前記下り伝送チャネルに対応するビームは、前記データチャネルに対応する送信ビームを含み、前記のネットワーク機器が端末機器に指示情報を送信するステップは、前記ネットワーク機器が第５のビームグループ内のビームを介して前記端末機器にＰＤＣＣＨを送信することを含み、但し、前記ＰＤＣＣＨの第５の指示フィールドは、データチャネルに対応する送信ビームの第６のビームグループ内での番号を含む前記指示情報を含み、前記指示情報は、前記ネットワーク機器が前記第６のビームグループ内の前記番号に対応する送信ビームを使用して前記データチャネルを送信することを具体的に指示し、前記第５のビームグループは、前記第６のビームグループに関連するビームグループである。
【００２１】
一つの実施例として、前記方法は、さらに、前記ネットワーク機器が前記端末機器に前記複数の設定情報を送信することを含む。
【００２２】
第２の態様では、端末機器がネットワーク機器から送信される指示情報を受信し、但し、前記指示情報は、下り伝送チャネルを伝送するための、複数の設定情報のうち前記ネットワーク機器によって決定された前記下り伝送チャネルに対応するビームを指示し、前記複数の設定情報内の各設定情報は、少なくとも１つの送信ビームの情報、前記少なくとも１つの送信ビームに対応する受信ビームの情報、及び前記下り伝送に使用できるか又は使用できないリソースを指示するリソースマッピング情報のうち、少なくとも１つを含むステップと、前記端末機器が前記指示情報に応じて前記下り伝送チャネルに対応する受信ビームを決定するステップと、前記端末機器が前記下り伝送チャネルに対応する受信ビームを介して前記下り伝送チャネルを受信するステップとを含む、情報伝送方法を提供する。
【００２３】
一つの実施例として、前記各設定情報は、１つのビームグループに対応し、前記少なくとも１つの送信ビームの情報における各送信ビームの情報は、前記各送信ビームの識別情報、前記各送信ビームの固有のリソース占用の情報、及び前記送信ビームが所属するビームグループ内での前記各送信ビームの番号のうち少なくとも1つを含む。
【００２４】
一つの実施例として、前記少なくとも１つの送信ビームに対応する受信ビームの情報は、前記少なくとも１つの送信ビームに対応する受信ビームの識別情報を含む。
【００２５】
一つの実施例として、前記リソースマッピング情報は、前記少なくとも１つの送信ビームの、下り伝送に使用できるリソース又は下り伝送に使用できないリソースを指示する、少なくとも１つのデータ伝送用リソースマッピング情報を含む。
【００２６】
一つの実施例として、前記下り伝送チャネルは、データチャネルを含み、前記下り伝送チャネルに対応するビームは、前記データチャネルに対応する送信ビームを含み、前記の端末機器がネットワーク機器から送信される指示情報を受信するステップは、前記端末機器が第１のビームグループ内のビームを介して前記ネットワーク機器から送信される物理的下り制御チャネルＰＤＣＣＨを受信することを含み、但し、前記ＰＤＣＣＨの第１の指示フィールドは、前記データチャネルに対応する送信ビームの番号を含む前記指示情報を含み、前記指示情報は、前記ネットワーク機器が前記第１のビームグループ内の前記番号に対応する送信ビームを使用して前記データチャネルを送信することを具体的に指示し、前記複数の設定情報内の第１の設定情報は、前記第１のビームグループに対応し、前記第１の設定情報は、前記ネットワーク機器が予め設定した、前記端末機器が前記データチャネルを受信するための設定情報であり、
前記端末機器が前記指示情報に応じて前記下り伝送チャネルに対応する受信ビームを決定するステップは、
前記端末機器が前記番号に対応する送信ビームに応じて前記送信ビームに対応する受信ビームを決定することと、前記送信ビームに対応する受信ビームを介して前記データチャネルを受信することとを含む。
【００２７】
一つの実施例として、前記方法は、さらに、前記端末機器が前記ネットワーク機器から送信される第１のシグナリングを受信することを含み、但し、前記第１のシグナリングは、前記ネットワーク機器が前記複数の設定情報内の第１の設定情報を使用して前記データチャネルを送信することを指示する第１の設定指示情報を含む。
【００２８】
一つの実施例として、前記第１のシグナリングは、無線リソース制御ＲＲＣシグナリング又は下り制御情報ＤＣＩである。
【００２９】
一つの実施例として、前記下り伝送チャネルは、データチャネルを含み、前記下り伝送チャネルに対応するビームは、前記データチャネルに対応する受信ビームを含み、前記の端末機器がネットワーク機器から送信される指示情報を受信するステップは、前記端末機器が前記第２のビームグループ内のビームを介して前記ネットワーク機器から送信されるＰＤＣＣＨを受信することを含み、但し、前記ＰＤＣＣＨの第２の指示フィールドは、前記データチャネルに対応する受信ビームの識別情報を含む前記指示情報を含み、前記指示情報が前記端末機器に前記識別情報に対応する受信ビームを使用してデータチャネルを受信するように具体的に指示する。
【００３０】
一つの実施例として、前記下り伝送チャネルは、データチャネルを含み、前記下り伝送チャネルに対応するビームは、前記データチャネルに対応する送信ビームを含み、前記の端末機器がネットワーク機器から送信される指示情報を受信するステップは、前記端末機器が第３のビームグループ内のビームを介して前記ネットワーク機器から送信されるＰＤＣＣＨを受信することを含み、但し、前記ＰＤＣＣＨの第３の指示フィールドは、データチャネルに対応するビームの第４のビームグループ内での番号を含む前記指示情報を含み、前記指示情報は、前記ネットワーク機器が前記第４のビームグループ内の前記番号に対応する送信ビームを使用してデータチャネルを送信することを具体的に指示し、前記複数の設定情報内の第２の設定情報は、前記第４のビームグループに対応し、前記第２の設定情報は、前記ネットワーク機器が予め設定した、前記端末機器が前記データチャネルを受信するための設定情報である。
【００３１】
前記端末機器が前記指示情報に応じて前記下り伝送チャネルに対応する受信ビームを決定するステップは、前記端末機器が前記番号に対応する送信ビームに応じて前記送信ビームに対応する受信ビームを決定することと、前記送信ビームに対応する受信ビームを介して前記データチャネルを受信することとを含む。
【００３２】
一つの実施例として、前記方法は、さらに、前記端末機器が前記ネットワーク機器から送信される第２のシグナリングを受信することを含み、但し、前記第２のシグナリングは、前記ネットワーク機器が前記複数の設定情報内の第２の設定情報を使用してデータチャネルを送信することを指示する第２の設定指示情報を含む。
【００３３】
一つの実施例として、前記第２のシグナリングは、ＲＲＣシグナリング又はＤＣＩである。
【００３４】
一つの実施例として、前記方法は、さらに、前記端末機器が前記ネットワーク機器から送信されるＰＤＣＣＨを受信することを含み、但し、前記ＰＤＣＣＨは、前記ネットワーク機器に使用される、データチャネルを送信するための設定情報を指示する第３の設定指示情報を含む。
【００３５】
すなわち、前記第３の設定指示情報は、前記ネットワーク機器が前記複数の設定情報のうちどの設定情報を使用してデータチャネルを送信するかを指示する。
【００３６】
一つの実施例として、前記少なくとも１つのデータ伝送用リソースマッピング情報は、複数のデータ伝送用リソースマッピング情報を含み、前記方法は、さらに、前記端末機器が前記ネットワーク機器から送信されるＰＤＣＣＨを受信することを含み、但し、前記ＰＤＣＣＨは、前記ネットワーク機器が下り伝送チャネルの伝送に使用するデータ伝送用リソースマッピング情報を指示する第４の指示フィールドを含む。
【００３７】
すなわち、前記第４の指示フィールドは、前記ネットワーク機器が前記複数のデータ伝送用リソースマッピング情報のうちどのデータ伝送用リソースマッピング情報を使用するかを指示する。
【００３８】
一つの実施例として、前記下り伝送チャネルは、データチャネルを含み、前記下り伝送チャネルに対応するビームは、前記データチャネルに対応する送信ビームを含み、
前記の端末機器がネットワーク機器から送信される指示情報を受信するステップは、前記端末機器が第５のビームグループ内のビームを介して前記ネットワーク機器から送信されるＰＤＣＣＨを受信することを含み、但し、前記ＰＤＣＣＨの第５の指示フィールドは、データチャネルに対応する送信ビームの第６のビームグループ内での番号を含む前記指示情報を含み、前記指示情報は、前記ネットワーク機器が前記第６のビームグループ内の前記番号に対応する送信ビームを使用して前記データチャネルを送信することを具体的に指示し、前記第５のビームグループは、前記第６のビームグループに関連するビームグループであり、
前記端末機器が前記指示情報に応じて前記下り伝送チャネルに対応する受信ビームを決定するステップは、前記端末機器が前記番号に対応する送信ビームに応じて前記送信ビームに対応する受信ビームを決定することと、前記送信ビームに対応する受信ビームを介して前記データチャネルを受信することとを含む。
【００３９】
一つの実施例として、前記方法は、さらに、前記端末機器が前記ネットワーク機器から送信される前記複数の設定情報を受信することを含む。
【００４０】
第３の態様では、ネットワーク機器を提供し、当該ネットワーク機器は、第1の態様又はその任意１つの選択可能な実施形態の方法を実行するユニットを含むことができる。
【００４１】
第４の態様では、端末機器を提供し、当該端末機器は、第２の態様又はその任意１つの選択可能な実施形態の方法を実行するユニットを含むことができる。
【００４２】
第５の態様では、プログラムを記憶するためのメモリと、プログラムを実行するためのプロセッサーと、トランシーバーとを含むネットワーク機器を提供し、前記プログラムが実行される時、前記プロセッサーは前記トランシーバーに基づいて第１の態様及びその任意１つの選択可能な実施形態の方法を実行する。
【００４３】
第６の態様では、プログラムを記憶するためのメモリと、プログラムを実行するためのプロセッサーと、トランシーバーとを含む端末機器を提供し、前記プログラムが実行される時、前記プロセッサーは前記トランシーバーに基づいて第２の態様及びその任意１つの選択可能な実施形態の方法を実行する。
【００４４】
第７の態様では、端末機器によって実行されるプログラムコードを格納するためのコンピュータ可読媒体を提供し、前記プログラムコードは、第１の態様又はその各実施形態の方法を実行するためのコマンドを含む。
【００４５】
第８の態様では、ネットワーク機器によって実行されるプログラムコードを格納するためのコンピュータ読可読媒体を提供し、前記プログラムコードは、第２の態様又はその各実施形態の方法を実行するためのコマンドを含む。
【発明の効果】
【００４６】
上記技術的解決手段に基づき、本願の実施例における情報伝送方法は、ネットワーク機器は、複数の設定情報のうちネットワーク機器によって決定された下り伝送チャネルに対応するビームを指示する指示情報を端末機器に送信することができ、それによりネットワーク機器は当該下り伝送チャネルに対応するビームで当該下り伝送チャネルを送信することができ、当該端末機器がネットワーク機器から送信された下り伝送チャネルに対応するビームを知ると、対応する受信ビームを選択して下り伝送チャネルを受信することができ、それにより下り受信性能が向上することができる。
【図面の簡単な説明】
【００４７】
【図１】本願の実施例による通信システムを示す図である。
【図２】本願の実施例による情報伝送方法を示すフローチャートである。
【図３】本願の実施例による情報伝送方法を示すフローチャートである。
【図４】本願の実施例によるネットワーク機器を示すブロック図である。
【図５】本願の実施例による端末機器を示すブロック図である。
【図６】本願の実施例によるネットワーク機器を示すブロック図である。
【図７】本願の実施例による端末機器を示すブロック図である。
【発明を実施するための形態】
【００４８】
以下、本願の実施例における図面を参照しながら、本願の実施例における技術的解決手段について説明する。
【００４９】
本願の実施例の技術的解決手段は、例えば、汎欧州デジタル移動電話方式（Ｇｌｏｂａｌ  Ｓｙｓｔｅｍ  ｏｆ  Ｍｏｂｉｌｅ  ｃｏｍｍｕｎｉｃａｔｉｏｎ、略称「ＧＳＭ」）、符号分割多元接続（Ｃｏｄｅ  Ｄｉｖｉｓｉｏｎ  Ｍｕｌｔｉｐｌｅ  Ａｃｃｅｓｓ、略称「ＣＤＭＡ」）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称「ＷＣＤＭＡ」）システム、汎用パケット無線サービス（Ｇｅｎｅｒａｌ  Ｐａｃｋｅｔ  Ｒａｄｉｏ  Ｓｅｒｖｉｃｅ、略称「ＧＰＲＳ」）、ロングタームエボリューション（Ｌｏｎｇ  Ｔｅｒｍ  Ｅｖｏｌｕｔｉｏｎ、略称「ＬＴＥ」）システム、ＬＴＥ周波数分割複信（Ｆｒｅｑｕｅｎｃｙ  Ｄｉｖｉｓｉｏｎ  Ｄｕｐｌｅｘ、略称「ＦＤＤ」）システム、ＬＴＥ時分割複信（Ｔｉｍｅ  Ｄｉｖｉｓｉｏｎ  Ｄｕｐｌｅｘ、略称「ＴＤＤ」）、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、略称「ＵＭＴＳ」）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、略称「ＷｉＭＡＸ」）通信システム又は次世代の５Ｇシステムなど、様々な通信システムに適用されることができる。
【００５０】
図１は、本願の実施例に適用される無線通信システム１００を示す。当該無線通信システム１００は、ネットワーク機器１１０を含んでもよい。ネットワーク機器１１０は、端末機器と通信する機器であってもよい。ネットワーク機器１１０は、特定の地理的地域に通信カバレッジを提供し、当該カバレッジエリア内に位置する端末機器（例えばＵＥ）と通信することができる。一つの実施例として、当該ネットワーク機器１１０は、ＧＳＭシステム又はＣＤＭＡシステムにおける基地局（Ｂａｓｅ  Ｔｒａｎｓｃｅｉｖｅｒ  Ｓｔａｔｉｏｎ、略称ＢＴＳ）であってもよく、ＷＣＤＭＡシステムにおける基地局（ＮｏｄｅＢ、略称ＮＢ）であってもよく、ＬＴＥシステムにおける進化型基地局（Ｅｖｏｌｖｅｄ  Ｎｏｄｅ  Ｂ、略称ｅＮＢ又はｅＮｏｄｅＢ）であってもよく、クラウド無線アクセスネットワーク（Ｃｌｏｕｄ  Ｒａｄｉｏ  Ａｃｃｅｓｓ  Ｎｅｔｗｏｒｋ、略称ＣＲＡＮ）における無線コントローラであってもよく、又は当該ネットワーク機器は、中継局、アクセスポイント、車載機器、ウェアラブル機器、次世代の５Ｇネットワークにおけるネットワーク側機器もしくは次世代の進化型地上波公共移動通信ネットワーク（Ｐｕｂｌｉｃ  Ｌａｎｄ  Ｍｏｂｉｌｅ  Ｎｅｔｗｏｒｋ、略称ＰＬＭＮ）におけるネットワーク機器などであってもよい。
【００５１】
当該無線通信システム１００は、さらに、ネットワーク機器１１０のカバレッジ範囲内に位置する少なくとも１つの端末機器１２０をさらに含む。端末機器１２０は、移動型でも固定型でもよい。一つの実施例として、端末機器１２０は、アクセス端末、ユーザ機器（Ｕｓｅｒ  Ｅｑｕｉｐｍｅｎｔ、略称ＵＥ）、ユーザユニット、加入者局、移動局、モバイルステーション、遠隔局、遠隔端末、移動機器、ユーザ端末、端末、無線通信機器、ユーザ代理機器又はユーザ装置であってもよい。アクセス端末は、携帯電話、無線電話、セッションイニシエーションプロトコル（Ｓｅｓｓｉｏｎ  Ｉｎｉｔｉａｔｉｏｎ  Ｐｒｏｔｏｃｏｌ、略称ＳＩＰ）電話、無線ローカルループ（Ｗｉｒｅｌｅｓｓ  Ｌｏｃａｌ  Ｌｏｏｐ、略称ＷＬＬ）局、携帯情報端末（Ｐｅｒｓｏｎａｌ  Ｄｉｇｉｔａｌ  Ａｓｓｉｓｔａｎｔ、略称ＰＤＡ）、無線通信機能を有するハンドヘルド機器、計算機器又は無線モデムに接続されたその他処理機器、車載機器、ウェアラブル機器、次世代の５Ｇネットワークにおける端末機器又は次世代の進化型ＰＬＭＮにおける端末機器などであってもよい。
【００５２】
一つの実施例として、５Ｇシステム又はネットワークは、新しい無線（Ｎｅｗ  Ｒａｄｉｏ、ＮＲ）システム又はネットワークとも呼ばれる。
【００５３】
図１は、１つのネットワーク機器及び２つの端末機器を例示的に示し、一つの実施例として、当該無線通信システム１００は、複数のネットワーク機器を含み、かつ各ネットワーク機器のカバレッジ範囲内に異なる数量の端末機器を含むことができ、本願の実施例ではこれについて限定しない。
【００５４】
一つの実施例として、当該無線通信システム１００は、さらに、ネットワークコントローラ、移動管理エンティティなどの他のネットワークエンティティを含むことができ、本願の実施例ではこれについて限定しない。
【００５５】
本明細書において、用語「システム」及び「ネットワーク」はよく交換的に使用される。本明細書において、用語「及び／又は」は、関連対象の関連関係を説明するだけのもので、３つの関係があり得ることを表すと理解すべきであり、例えば、Ａ及び／又はＢは、Ａだけある場合、ＡとＢ両方ともある場合、Ｂだけある場合など３つの場合を表す。また、本明細書において、符号「／」は、一般的にコンテキストオブジェクトが「又は」という関係であることを示す。
【００５６】
図２は、本願の実施例による情報伝送方法２００を示すフローチャートである。図２に示すように、当該方法２００は、
ネットワーク機器が端末機器に指示情報を送信し、但し、前記指示情報は、下り伝送チャネルを伝送するための、複数の設定情報のうち前記ネットワーク機器によって決定された前記下り伝送チャネルに対応するビームを指示し、前記複数の設定情報内の各設定情報は、少なくとも１つの送信ビームの情報、前記少なくとも１つの送信ビームに対応する受信ビームの情報、及び前記少なくとも１つの送信ビームの下り伝送に使用できるか又は使用できないリソースを指示するリソースマッピング情報のうち、少なくとも１つを含むＳ２０１と、
前記ネットワーク機器が前記下り伝送チャネルに対応するビームを介して前記下り伝送チャネルを伝送するＳ２０２と、を含む。
【００５７】
具体的には、ネットワーク機器は、複数の設定情報のうちネットワーク機器によって決定された下り伝送チャネルに対応するビームを指示する指示情報を端末機器に送信することができ、それによりネットワーク機器は当該下り伝送チャネルに対応するビームで当該下り伝送チャネルを送信することができ，端末機器は、ネットワーク機器から送信される下り伝送チャネルに対応するビームを知った後、対応する受信ビームを選択して下り伝送チャネルを受信することができ、それにより、ネットワーク機器の送信ビームと端末機器の受信ビームがマッチングしないことにより受信性能が低下するという問題が回避される。
【００５８】
一つの実施例として、前記各設定情報は、１つのビームグループに対応し、
前記少なくとも１つの送信ビームの情報における各送信ビームの情報は、前記各送信ビームの識別情報、前記各送信ビームの固有のリソース占用の情報、及び前記各設定情報に対応するビームグループにおける前記各送信ビームの番号のうち、少なくとも１つを含む。
【００５９】
当該各送信ビームの固有のリソース占用の情報は、当該各送信ビームが一時的に占有する時間領域リソースの情報及び／又は周波数領域リソースの情報を指示することができ、例えば、ある時間帯に、一時的に第１のビームを使用して測定信号を送信するため、この時間帯に、当該第１のビームを用いてデータを伝送することができず、したがって、当該端末機器は、この時間帯にデータを受信しなくてもよい。
【００６０】
一つの実施例として、前記少なくとも１つの送信ビームに対応する受信ビームの情報は、前記少なくとも１つの送信ビームに対応する受信ビームの識別情報を含む。
【００６１】
一つの実施例として、前記リソースマッピング情報は、前記少なくとも１つの送信ビームの、下り伝送に使用できるリソース又は下り伝送に使用できないリソースを指示する、少なくとも１つのデータ伝送用リソースマッピング情報を含む。
【００６２】
当該各データ伝送用リソースマッピング情報は、ビームグループ全体に対するデータ伝送用リソースマッピング情報であってもよく、この場合、当該ビームグループ内の各送信ビームのデータ伝送用リソースマッピング情報は同じであり、各送信ビームに対するデータ伝送用リソースマッピング情報であってもよいと理解すべきである。
【００６３】
一つの実施例として、前記下り伝送チャネルは、データチャネルを含み、前記下り伝送チャネルに対応するビームは、前記データチャネルに対応する送信ビームを含み、
前記のネットワーク機器が端末機器に指示情報を送信するステップは、前記ネットワーク機器が第１のビームグループ内のビームを介して前記端末機器に物理的下り制御チャネルＰＤＣＣＨを送信することを含み、但し、前記ＰＤＣＣＨの第１の指示フィールドは、前記データチャネルに対応する送信ビームの番号を含む指示情報を含み、前記指示情報は前記ネットワーク機器が前記第１のビームグループ内の前記番号に対応する送信ビームを使用してデータチャネルを送信することを具体的に指示し、前記複数の設定情報内の第１の設定情報は、前記第１のビームグループに対応し、前記第１の設定情報は、前記ネットワーク機器が予め設定した、前記端末機器が前記データチャネルを受信するための設定情報である。
【００６４】
具体的には、当該実施例において、当該ネットワーク機器は、同じビームグループ内のビームで制御チャネルとデータチャネルを送信し、当該ネットワーク機器は、当該ネットワーク機器が複数の設定情報内の第１のビームグループに対応する第１の設定情報を使用して当該データチャネルを送信することを当該端末機器に予め通知することができ、その後、ネットワーク機器が第１のビームグループ内のビームを介して物理的下り制御チャネル（全称：Ｐｈｙｓｉｃａｌ  Ｄｏｗｎｌｉｎｋ  Ｃｏｎｔｒｏｌ  Ｃｈａｎｎｅｌ、略称：ＰＤＣＣＨ）を送信することができ、データチャネルに対応する送信ビームの番号を含む当該ＰＤＣＣＨの第１の指示フィールドにより、当該ネットワーク機器が当該第１のビームグループ内の当該番号に対応する送信ビームを使用してデータチャネルを送信することを端末機器に通知し、端末機器が、当該送信ビームに応じて対応する受信ビームを決定してから、当該受信ビームで当該データチャネルを受信することができる。
【００６５】
換言すれば、本実施例において、ネットワーク機器は、当該ネットワーク機器がどの設定情報を使用するかを端末機器に毎回通知する必要がなく、ネットワーク機器が当該端末機器に当該ネットワーク機器がどの設定情報を使用するかを通知した後、当該ネットワーク機器が当該設定情報を変更しなければ、当該端末機器は、常に当該ネットワーク機器が当該設定情報を使用するとみなす。そして、ＰＤＣＣＨを送信することによって当該ネットワーク機器が当該設定情報内のどの番号に対応する送信ビームを使用して当該データチャネルを送信するかを当該端末機器に通知することができる。
【００６６】
一つの実施例として、前記方法は、さらに、前記ネットワーク機器が前記端末機器に第１のシグナリングを送信することを含み、但し、前記第１のシグナリングは、前記ネットワーク機器が前記複数の設定情報のうち第１の設定情報を使用して前記データチャネルを送信することを指示する第１の設定指示情報を含む。
【００６７】
すなわち、当該ネットワーク機器は、端末機器に第１の設定指示情報を含む第１のシグナリングを送信することにより、当該ネットワーク機器がどの設定情報を使用するかを指示することができる。前述した実施例において、当該ネットワーク機器は、第１のシグナリングを送信することによって当該ネットワーク機器が当該第１の設定情報を使用してデータチャネルを送信することを当該端末機器に通知することができ、ネットワーク機器が当該設定を変更するまで、当該端末機器は常に当該ネットワーク機器が当該第１の設定情報を使用してデータチャネルを送信するとみなす。ＰＤＣＣＨを送信することによって当該ネットワーク機器が当該第１の設定情報内のどの番号に対応する送信ビームを使用して当該データチャネルを送信するかを当該端末機器に通知することができる。
【００６８】
すなわち、ネットワーク機器は、当該ネットワーク機器のデータチャネルに対応する送信ビームを準静的に設定することができ、まず高層シグナリングでどの設定情報内の送信ビームを使用するかを予め設定し、次にＰＤＣＣＨで当該設定情報内のどの番号に対応する送信ビームを使用するかを動的に指示する。
【００６９】
一つの実施例として、前記第１のシグナリングは、無線リソース制御（全称：Ｒａｄｉｏ  Ｒｅｓｏｕｒｃｅ  Ｃｏｎｔｒｏｌ、略称：ＲＲＣ）シグナリング又は下り制御情報（全称：Ｄｏｗｎｌｉｎｋ  Ｃｏｎｔｒｏｌ  Ｉｎｆｏｒｍａｔｉｏｎ、略称：ＤＣＩ）である。
【００７０】
以上の内容に基づき、当該ネットワーク機器は制御チャネルとデータチャネルの両方を第１のビームグループ内のビームを使用して送信し、当該ネットワーク機器は第１の設定情報を使用してデータチャネルを送信するように予め設定し、すなわち第１のビームグループ内の送信ビームを使用してデータチャネルを送信し、当該ネットワーク機器は第１のビームグループ内のビームを使用してＰＤＣＣＨを送信して、当該ＰＤＣＣＨにおける指示情報により、具体的には当該第１のビームグループ内のどの番号の送信ビームを使用するかを動的に指示することができる。
【００７１】
例えば、当該複数の設定情報は、
送信ビームＢ１と送信ビームＢ２とを含む、グループ内での番号がそれぞれ０と１であるビームグループ１、及び
送信ビームＢ２と送信ビームＢ３と送信ビームＢ４とを含む、グループ内での番号がそれぞれ０と１と２であるビームグループ２、の２つの設定情報を含む。
【００７２】
当該ネットワーク機器がビームグループ１のビームを使用してデータチャネルを送信するように予め設定した場合、端末機器は、Ｂ１からＰＤＣＣＨを受信し、当該ＰＤＣＣＨの第１の指示フィールドが１ビットを含むことができる場合、当該１ビットは、
０で、データチャネルに使用される送信ビームが送信ビームＢ１であると指示し、
１で、データチャネルに使用される送信ビームが送信ビームＢ２であると指示することができる。
【００７３】
又は、当該ネットワーク機器がビームグループ２のビームを使用してデータチャネルを送信するように予め設定した場合、端末機器は、Ｂ３からＰＤＣＣＨを受信し、当該ＰＤＣＣＨの第１の指示フィールドが２ビットを含むことができる場合、当該２ビットは、
０で、データチャネルに使用される送信ビームが送信ビームＢ２であると指示し、
１で、データチャネルに使用される送信ビームが送信ビームＢ３であると指示し、
２で、データチャネルに使用される送信ビームが送信ビームＢ４であると指示することができる。
【００７４】
別の実施例として、前記下り伝送チャネルは、データチャネルを含み、前記下り伝送チャネルに対応するビームは、前記データチャネルに対応する受信ビームを含み、
前記のネットワーク機器が端末機器に指示情報を送信するステップは、前記ネットワーク機器が第２のビームグループ内のビームを介して前記端末機器にＰＤＣＣＨを送信することを含み、但し、前記ＰＤＣＣＨの第２の指示フィールドは、前記データチャネルに対応する受信ビームの識別情報を含む指示情報を含み、前記指示情報が前記端末機器に、前記識別情報に対応する受信ビームを使用して前記データチャネルを受信するように具体的に指示する。
【００７５】
具体的には、当該ネットワーク機器は、第２のビームグループ内のビームにより端末機器にＰＤＣＣＨを送信することができ、当該ＰＤＣＣＨの第２の指示フィールドが、当該端末機器に受信する当該データチャネルに対応する受信ビームを直接指示する指示情報を含むことにより、当該端末機器は当該データチャネルに対応する受信ビームを使用して当該データチャネルを受信することができる。
【００７６】
例えば、当該複数の設定情報は、
受信ビームＢｅａｍ１、１つのデータ伝送用リソースマッピング情報、のビームグループ１と、
受信ビームＢｅａｍ２、１つのデータ伝送用リソースマッピング情報、のビームグループ２と、２つの設定情報を含む。
【００７７】
端末機器はネットワーク機器から送信したＰＤＣＣＨを受信し、当該ＰＤＣＣＨの指示フィールドは、
０で、ビームグループ１の設定情報を指示し、
１で、ビームグループ１の設定情報を指示することができる。
【００７８】
当該実施例において、各設定情報は１つの受信ビーム、及び１つのデータ伝送用リソースマッピング情報に対応し、したがって、どの設定情報を使用するかを決定することは、どの受信ビーム及びどのデータ伝送用リソースマッピング情報を使用するかを決定することに相当する。
【００７９】
別の実施例として、前記下り伝送チャネルは、データチャネルを含み、前記下り伝送チャネルに対応するビームは、前記データチャネルに対応する送信ビームを含み、
前記のネットワーク機器が端末機器に指示情報を送信するステップは、前記ネットワーク機器が第３のビームグループ内のビームを介して前記端末機器にＰＤＣＣＨを送信することを含み、但し、前記ＰＤＣＣＨの第３の指示フィールドは、データチャネルに対応する送信ビームの第４のビームグループ内での番号を含む指示情報を含み、前記指示情報は、前記ネットワーク機器が前記第４のビームグループ内の前記番号に対応する送信ビームを使用して前記データチャネルを送信することを具体的に指示し、前記複数の設定情報内の第２の設定情報は、前記第４のビームグループに対応し、前記第２の設定情報は、前記ネットワーク機器が予め設定した、前記端末機器が前記データチャネルを受信するための設定情報である。
【００８０】
当該実施例において、当該ネットワーク機器は、異なるビームグループ内のビームで制御チャネルとデータチャネルを送信し、例えば、当該ネットワーク機器は、第３のビームグループ内のビームを使用して制御チャネルを送信し、第４のビームグループ内のビームを使用してデータチャネルを送信する。当該ネットワーク機器は、当該ネットワーク機器が複数の設定情報内の第２の設定情報を使用して当該データチャネルを送信することを当該端末機器に予め通知することができ、当該第２の設定情報が第４のビームグループに対応し、その後、ネットワーク機器が第３のビームグループ内のビームを介してＰＤＣＣＨを送信して、データチャネルに対応する送信ビームの番号を含む当該ＰＤＣＣＨの第３の指示フィールドにより、当該ネットワーク機器が当該第４のビームグループ内の当該番号に対応する送信ビームでデータチャネルを送信することを端末機器に通知することができ、それによって端末機器が、当該送信ビームに応じて対応する受信ビームを決定してから、当該受信ビームで当該データチャネルを受信することができる。
【００８１】
一つの実施例として、当該ネットワーク機器が当該端末機器に当該ネットワーク機器がどの設定情報を使用するかを予め通知する方法は、
前記ネットワーク機器が前記端末機器に第２のシグナリングを送信することを含むことができ、但し、前記第２のシグナリングは、前記ネットワーク機器が前記複数の設定情報のうち前記第２の設定情報を使用してデータチャネルを送信することを指示する第２の設定指示情報を含む。
【００８２】
一つの実施例として、前記第２のシグナリングは、ＲＲＣシグナリング又はＤＣＩである。
【００８３】
前述した実施例と異なり、当該ネットワーク機器は異なるビームグループ内のビームを使用して制御チャネルとデータチャネルを送信し、当該ネットワーク機器は第２の設定情報を使用してデータチャネルを送信するように予め設定し、すなわち第４のビームグループ内の送信ビームを使用してデータチャネルを送信し、当該ネットワーク機器は第３のビームグループ内のビームを使用してＰＤＣＣＨを送信することができ、当該ＰＤＣＣＨにおける指示情報により、具体的には当該第４のビームグループ内のどの番号の送信ビームを使用するかを動的に指示する。
【００８４】
例えば、当該複数の設定情報は、
送信ビームＢ１と送信ビームＢ２を含む、グループ内での番号がそれぞれ０と１であるビームグループ１、及び
送信ビームＢ２と送信ビームＢ３と送信ビームＢ４を含む、グループ内での番号がそれぞれ０と１と２であるビームグループ２、の２つの設定情報を含む。
【００８５】
当該ネットワーク機器は、ビームグループ１のビームを使用してデータチャネルを送信するように予め設定し、端末機器は、Ｂ３からＰＤＣＣＨを受信し、当該ＰＤＣＣＨの第３の指示フィールドが１ビットを含むことができる場合、当該１ビットは、
０で、データチャネルに使用される送信ビームが送信ビームＢ１であると指示し、
１で、データチャネルに使用される送信ビームが送信ビームＢ２であると指示することができる。
【００８６】
１つの実施例として、前記方法は、さらに、
前記ネットワーク機器が前記端末機器にＰＤＣＣＨを送信することを含み、但し、前記ＰＤＣＣＨは、前記ネットワーク機器に使用される、データチャネルを送信するための設定情報を指示する第３の設定指示情報を含む。
【００８７】
すなわち、前記第３の設定指示情報は、前記ネットワーク機器が複数の設定情報のうちどの設定情報を使用してデータチャネルを送信するかを指示することができる。
【００８８】
すなわち、当該ネットワーク機器は、ＰＤＣＣＨを介して当該ネットワーク機器が当該複数の設定情報内のどの設定情報を使用してデータチャネルを送信するかを動的に指示することができる。
【００８９】
一つの実施例として、前記少なくとも１つのデータ伝送用リソースマッピング情報は、複数のデータ伝送用リソースマッピング情報を含み、
前記方法は、さらに、前記ネットワーク機器が前記端末機器にＰＤＣＣＨを送信することを含み、但し、前記ＰＤＣＣＨは、前記ネットワーク機器が前記下り伝送チャネルの伝送に使用するデータ伝送用リソースマッピング情報を指示する第４の指示フィールドを含む。
【００９０】
すなわち、前記第４の指示フィールドは、前記ネットワーク機器が前記複数のデータ伝送用リソースマッピング情報のうちどのデータ伝送用リソースマッピング情報を使用するかを指示する。
【００９１】
具体的には、当該各設定情報は、さらに、複数のデータ伝送用リソースマッピング情報を含むことができ、各データ伝送用リソースマッピング情報は、当該各送信ビームの下り伝送に使用できるか又は使用できないリソースを指示することができ、当該ネットワーク機器はＰＤＣＣＨの第４の指示フィールドにより、当該端末機器に当該ネットワーク機器が当該複数のデータ伝送用リソースマッピング情報のうちどのデータ伝送用リソースマッピング情報を使用するかを通知し、それによって当該端末機器が指示された当該データ伝送用リソースマッピング情報に基づいてデータを受信する。例えば、当該データ伝送用リソースマッピング情報が下り伝送に使用できないリソースを指示すると、当該端末機器は当該リソース上でデータを受信せず、したがって、端末機器の時間周波数リソースを節約することができる。
【００９２】
例えば、当該複数の設定情報は、
受信ビームＢｅａｍ１、４つのデータ伝送用リソースマッピング情報、のビームグループ１と、
受信ビームＢｅａｍ２、４つのデータ伝送用リソースマッピング情報、のビームグループ２と、２つの設定情報を含む。
【００９３】
当該ネットワーク機器は、ビームグループ１の設定情報を使用するように予め設定し、端末機器は、ＰＤＣＣＨを受信し、当該ＰＤＣＣＨの指示フィールドが１ビットを含むことができる場合、当該１ビットは、
０で、データチャネルが１つ目のデータ伝送用リソースマッピング情報を使用すると指示し、
１で、データチャネルが２つ目のデータ伝送用リソースマッピング情報を使用すると指示し、
２で、データチャネルが３つ目のデータ伝送用リソースマッピング情報を使用すると指示し、
３で、データチャネルが４つ目のデータ伝送用リソースマッピング情報を使用すると指示することができる。
【００９４】
一つの実施例として、前記下り伝送チャネルは、データチャネルを含み、前記下り伝送チャネルに対応するビームは、前記データチャネルに対応する送信ビームを含み、
前記のネットワーク機器が端末機器に指示情報を送信するステップは、前記ネットワーク機器が第５のビームグループ内のビームを介して前記端末機器にＰＤＣＣＨを送信することを含み、但し、前記ＰＤＣＣＨの第５の指示フィールドは、データチャネルに対応する送信ビームの第６のビームグループ内での番号を含む指示情報を含み、前記指示情報は、前記ネットワーク機器が前記第６のビームグループ内の前記番号に対応する送信ビームを使用して前記データチャネルを送信することを具体的に指示し、前記第５のビームグループは、前記第６のビームグループに関連するビームグループである。
【００９５】
具体的には、当該第５のビームグループと第６のビームグループは関連したビームグループであってもよく、例えば、当該ネットワーク機器が当該第５と第６のビームグループ内のビームを使用して同一サービスを行う。当該ネットワーク機器は第５のビームグループ内のビームを介してＰＤＣＣＨを送信することができ、当該ＰＤＣＣＨの第５の指示フィールドに含まれる指示情報により、第６のビームグループ内でデータチャネルに対応する送信ビームの番号を指示し、それによって当該端末機器は、当該ネットワーク機器が当該第６のビームグループ内の当該番号に対応する送信ビームを使用して当該データチャネルを送信することを決定することができ、次に当該端末機器は、当該送信ビームに対応する受信ビームを決定してから、当該受信ビームを使用してデータチャネルを受信することができる。
【００９６】
一つの実施例として、前記方法は、さらに、
前記ネットワーク機器が前記端末機器に前記複数の設定情報を送信することを含む。
【００９７】
以上、図２を参照しながら、ネットワーク機器の角度から本願の実施例による情報伝送方法について詳しく説明し、以下、図３を参照しながら、端末機器の角度から本願の実施例による情報伝送方法を詳しく説明する。端末機器側の説明は、ネットワーク機器側の説明と対応するものであると理解すべきで、同様の説明については、重複を避けるために詳細な説明を省略するので、上記を参照されたい。
【００９８】
図３は、本願の実施例による情報伝送方法３００を示すフローチャートである。図３に示すように、当該方法３００は、
端末機器がネットワーク機器から送信される指示情報を受信し、但し、前記指示情報は、下り伝送チャネルを伝送するための、複数の設定情報のうち前記ネットワーク機器によって決定された前記下り伝送チャネルに対応するビームを指示し、前記複数の設定情報内の各設定情報は、少なくとも１つの送信ビームの情報、前記少なくとも１つの送信ビームに対応する受信ビームの情報、及び前記下り伝送に使用できるか又は使用できないリソースを指示するリソースマッピング情報のうち、少なくとも１つを含むＳ３０１と、
前記端末機器が前記指示情報に応じて前記下り伝送チャネルに対応する受信ビームを決定するＳ３０２と、
前記端末機器が前記下り伝送チャネルに対応する受信ビームを介して前記下り伝送チャネルを受信するＳ３０３と、を含む。
【００９９】
具体的には、端末機器は、ネットワーク機器から送信される、複数の設定情報のうち当該ネットワーク機器によって決定された下り伝送チャネルに対応するビームを指示する指示情報を受信することができ、一つの実施例として、当該下り伝送チャネルに対応するビームは、送信ビーム又は受信ビームであり、次に当該端末機器は、当該指示情報に基づいて当該下り伝送チャネルに対応する受信ビームを決定することができ、例えば、当該下り伝送チャネルに対応するビームが下り伝送チャネルに対応する送信ビームである場合、当該端末機器は当該送信ビームに対応する受信ビームを決定し、続いて当該受信ビームを使用して下り伝送チャネルを受信することができる。または当該下り伝送チャネルに対応するビームが当該下り伝送チャネルに対応する受信ビームである場合、当該端末機器は直接当該下り伝送チャネルに対応する受信ビームを使用して下り伝送チャネルを受信することができる。
【０１００】
一つの実施例として、前記各設定情報は、１つのビームグループに対応し、
前記少なくとも１つの送信ビームの情報における各送信ビームの情報は、前記各送信ビームの識別情報、前記各送信ビームの固有のリソース占用の情報、及び前記各設定情報に対応するビームグループにおける前記各送信ビームの番号のうち、少なくとも１つを含む。
【０１０１】
一つの実施例として、前記少なくとも１つの送信ビームに対応する受信ビームの情報は、前記少なくとも１つの送信ビームに対応する受信ビームの識別情報を含む。
【０１０２】
一つの実施例として、前記リソースマッピング情報は、前記少なくとも１つの送信ビームの、下り伝送に使用できるリソース又は下り伝送に使用できないリソースを指示する、少なくとも１つのデータ伝送用リソースマッピング情報を含む。
【０１０３】
一つの実施例として、前記下り伝送チャネルは、データチャネルを含み、前記下り伝送チャネルに対応するビームは、前記データチャネルに対応する送信ビームを含み、
前記の端末機器がネットワーク機器から送信される指示情報を受信するステップは、前記端末機器が第１のビームグループ内のビームを介して前記ネットワーク機器から送信される物理的下り制御チャネルＰＤＣＣＨを受信することを含み、但し、前記ＰＤＣＣＨの第１の指示フィールドは、前記データチャネルに対応する送信ビームの番号を含む指示情報を含み、前記指示情報は、前記ネットワーク機器が前記第１のビームグループ内の前記番号に対応する送信ビームを使用して前記データチャネルを送信することを具体的に指示し、前記複数の設定情報内の第１の設定情報は、前記第１のビームグループに対応し、前記第１の設定情報は、前記ネットワーク機器が予め設定した、前記端末機器が前記データチャネルを受信するための設定情報であり、
前記端末機器が前記指示情報に応じて前記下り伝送チャネルに対応する受信ビームを決定するステップは、
前記端末機器が前記番号に対応する送信ビームに応じて前記送信ビームに対応する受信ビームを決定することと、
前記送信ビームに対応する受信ビームを介して前記データチャネルを受信することと、を含む。
【０１０４】
具体的には、当該実施例において、当該ネットワーク機器は、同じビームグループ内のビームを使用して制御チャネルとデータチャネルを送信し、当該端末機器は、当該ネットワーク機器が複数の設定情報内の第１のビームグループに対応する第１の設定情報を使用して当該データチャネルを送信したとデフォルトする。当該指示情報は、データチャネルに対応する送信ビームの番号を含み、当該端末機器が第１のビームグループ内のビームを介してネットワーク機器から送信されるＰＤＣＣＨを受信し、当該ＰＤＣＣＨの第１の指示フィールドに含まれている当該指示情報により、当該ネットワーク機器が当該第１のビームグループ内の当該番号に対応する送信ビームを使用してデータチャネルを送信することを端末機器に通知し、それによって端末機器は、当該送信ビームに応じて対応する受信ビームを決定してから、当該受信ビームで当該データチャネルを受信することができる。
【０１０５】
一つの実施例として、前記方法は、さらに、前記端末機器が前記ネットワーク機器から送信される第1のシグナリングを受信することを含み、但し、前記第１のシグナリングは、前記ネットワーク機器が前記複数の設定情報内の第１の設定情報を使用して前記データチャネルを送信することを指示する第１の設定指示情報を含む。
【０１０６】
すなわち、当該ネットワーク機器は、第１のシグナリングを介して当該端末機器に当該ネットワーク機器が当該複数の設定情報内のどの設定情報を使用するかを通知することができる。一つの実施例として、当該第１のシグナリングは、無線リソース制御ＲＲＣシグナリング又は下り制御情報ＤＣＩである。
【０１０７】
すなわち、ネットワーク機器は、当該ネットワーク機器のデータチャネルに対応する送信ビームを準静的に設定することができ、まず高層シグナリングを介してどの設定情報内の送信ビームを使用するかを予め設定し、次にＰＤＣＣＨで当該設定情報内のどの番号に対応する送信ビームを使用するかを動的に指示する。
【０１０８】
一つの実施例として、前記下り伝送チャネルは、データチャネルを含み、前記下り伝送チャネルに対応するビームは、前記データチャネルに対応する受信ビームを含み、
前記の端末機器がネットワーク機器から送信される指示情報を受信するステップは、前記端末機器が前記第２のビームグループ内のビームを介して前記ネットワーク機器から送信されるＰＤＣＣＨを受信することを含み、但し、前記ＰＤＣＣＨの第２の指示フィールドは、前記データチャネルに対応する受信ビームの識別情報を含む指示情報を含み、前記指示情報が前記端末機器に前記識別情報に対応する受信ビームを使用して前記データチャネルを受信するように具体的に指示する。
【０１０９】
当該実施例において、端末機器は、当該第２のビームグループ内のビームを介して当該ネットワーク機器から送信されるＰＤＣＣＨを受信することができ、当該ＰＤＣＣＨの第２の指示フィールドは、受信する当該データチャネルに対応する受信ビームを当該端末機器に指示する当該指示情報を含むことにより、当該端末機器は直接当該データチャネルに対応する受信ビームを使用して当該データチャネルを受信することができる。
【０１１０】
一つの実施例として、前記下り伝送チャネルは、データチャネルを含み、前記下り伝送チャネルに対応するビームは、前記データチャネルに対応する送信ビームを含み、
前記の端末機器がネットワーク機器から送信される指示情報を受信するステップは、前記端末機器が第３のビームグループ内のビームを介して前記ネットワーク機器から送信されるＰＤＣＣＨを受信することを含み、但し、前記ＰＤＣＣＨの第３の指示フィールドは、データチャネルに対応する送信ビームの第４のビームグループ内での番号を含む指示情報を含み、前記指示情報は、前記ネットワーク機器が前記第４のビームグループ内の前記番号に対応する送信ビームを使用してデータチャネルを送信することを具体的に指示し、前記複数の設定情報内の第２の設定情報は、前記第４のビームグループに対応し、前記第２の設定情報は、前記ネットワーク機器が予め設定した、前記端末機器が前記データチャネルを受信するための設定情報であり、
前記端末機器が前記指示情報に応じて前記下り伝送チャネルに対応する受信ビームを決定するステップは、
前記端末機器が前記番号に対応する送信ビームに応じて前記送信ビームに対応する受信ビームを決定することと、
前記送信ビームに対応する受信ビームを介して前記データチャネルを受信することと、を含む。
【０１１１】
当該実施例において、当該ネットワーク機器は、ネットワーク機器が第３のビームグループ内のビームを介してＰＤＣＣＨを送信することを当該端末機器に事前通知し、第４のビームグループ内のビームを介してデータチャネルを送信し、すなわちネットワーク機器は異なるビームグループ内のビームを使用してデータチャネルと制御チャネルを送信することにより、当該端末機器は、第３のビームグループ内のビームを介してネットワーク機器から送信されるＰＤＣＣＨを受信してから、ＰＤＣＣＨにおける第３の指示フィールドに含まれている指示情報に基づいて、当該ネットワーク機器が当該第４のビームグループ内のどのビームを使用してデータチャネルを送信するかを決定する。
【０１１２】
一実施例として、前記方法は、さらに、
前記端末機器が前記ネットワーク機器から送信される第２のシグナリングを受信することを含み、但し、前記第２のシグナリングは、前記ネットワーク機器が前記複数の設定情報のうち前記第２の設定情報を使用して前記データチャネルを送信することを指示する第２の設定指示情報を含む。
【０１１３】
すなわち、当該ネットワーク機器は、第２のシグナリングを送信することによって、当該端末機器に当該ネットワーク機器がどのグループの設定情報を使用してデータチャネルを送信するかを事前通知することができる。一つの実施例として、前記第２のシグナリングは、ＲＲＣシグナリング又はＤＣＩである。
【０１１４】
一実施例として、前記方法は、さらに、
前記端末機器が前記ネットワーク機器から送信されるＰＤＣＣＨを受信することを含み、但し、前記ＰＤＣＣＨは、前記ネットワーク機器に使用される、データチャネルを送信するための設定情報を指示する第３の設定指示情報を含む。
【０１１５】
すなわち、前記第３の設定指示情報は、前記ネットワーク機器が前記複数の設定情報のうちどの設定情報を使用してデータチャネルを送信するかを指示する。
【０１１６】
すなわち、当該ネットワーク機器は、ＰＤＣＣＨにおける第３の設定指示情報を介して当該ネットワーク機器が当該複数の設定情報内のどの設定情報でデータチャネルを送信するかを動的に指示することができる。
【０１１７】
一つの実施例として、前記少なくとも１つのデータ伝送用リソースマッピング情報は、複数のデータ伝送用リソースマッピング情報を含み、
前記方法は、さらに、前記端末機器が前記ネットワーク機器から送信されるＰＤＣＣＨを受信することを含み、但し、前記ＰＤＣＣＨは、前記ネットワーク機器が前記下り伝送チャネルの伝送に使用するデータ伝送用リソースマッピング情報を指示する第４の指示フィールドを含み、
すなわち、前記第４の指示フィールドは、前記ネットワーク機器が前記複数のデータ伝送用リソースマッピング情報のうちどのデータ伝送用リソースマッピング情報を使用するかを指示する。
【０１１８】
一つの実施例として、前記下り伝送チャネルは、データチャネルを含み、前記下り伝送チャネルに対応するビームは、前記データチャネルに対応する送信ビームを含み、
前記の端末機器がネットワーク機器から送信される指示情報を受信するステップは、前記端末機器が第５のビームグループ内のビームを介して前記ネットワーク機器から送信されるＰＤＣＣＨを受信することを含み、但し、前記ＰＤＣＣＨの第５の指示フィールドは、データチャネルに対応する送信ビームの第６のビームグループ内での番号を含む指示情報を含み、前記指示情報は、前記ネットワーク機器が前記第６のビームグループ内の前記番号に対応する送信ビームを使用して前記データチャネルを送信することを具体的に指示し、前記第５のビームグループは、前記第６のビームグループに関連するビームグループであり、
前記端末機器が前記指示情報に応じて前記下り伝送チャネルに対応する受信ビームを決定するステップは、
前記端末機器が前記番号に対応する送信ビームに応じて前記送信ビームに対応する受信ビームを決定することと、
前記送信ビームに対応する受信ビームを介して前記データチャネルを受信することとを含む。
【０１１９】
一つの実施例として、前記方法は、さらに、
前記端末機器が前記ネットワーク機器から送信される前記複数の設定情報を受信することを含む。
【０１２０】
以上、図２と図３を参照しながら、本願的方法実施例について詳しく説明し、以下、図４から図７を参照しながら、本願的装置実施例について詳しく説明する。装置実施例は、方法の実施例と対応するものであると理解すべきで、同様の説明については、方法実施例を参照されたい。
【０１２１】
図４は、本願の実施例によるネットワーク機器を示すブロック図である。図４のネットワーク機器４００は送受信ユニット４１０を含む。
【０１２２】
当該送受信ユニット４１０は、端末機器に指示情報を送信するために用いられ、但し、前記指示情報は、下り伝送チャネルを伝送するための、複数の設定情報のうち前記ネットワーク機器によって決定された前記下り伝送チャネルに対応するビームを指示し、前記複数の設定情報内の各設定情報は、少なくとも１つの送信ビームの情報、前記少なくとも１つの送信ビームに対応する受信ビームの情報、及び前記少なくとも１つの送信ビームの下り伝送に使用できるか又は使用できないリソースを指示するリソースマッピング情報のうち少なくとも１つを含み、前記下り伝送チャネルに対応するビームで前記下り伝送チャネルを伝送する。
【０１２３】
一つの実施例として、前記各設定情報は、１つのビームグループに対応し、
前記少なくとも１つの送信ビームの情報における各送信ビームの情報は、前記各送信ビームの識別情報、前記各送信ビームの固有のリソース占用の情報、及び前記各設定情報に対応するビームグループにおける前記各送信ビームの番号のうち、少なくとも１つを含む。
【０１２４】
一つの実施例として、前記少なくとも１つの送信ビームに対応する受信ビームの情報は、前記少なくとも１つの送信ビームに対応する受信ビームの識別情報を含む。
【０１２５】
一つの実施例として、前記リソースマッピング情報は、前記少なくとも１つの送信ビームの、下り伝送に使用できるリソース又は下り伝送に使用できないリソースを指示する、少なくとも１つのデータ伝送用リソースマッピング情報を含む。
【０１２６】
一つの実施例として、前記下り伝送チャネルは、データチャネルを含み、前記下り伝送チャネルに対応するビームは、前記データチャネルに対応する送信ビームを含み、
前記送受信ユニット４１０は、さらに、第１のビームグループ内のビームを介して前記端末機器に物理的下り制御チャネルＰＤＣＣＨを送信することに用いられ、但し、前記ＰＤＣＣＨの第１の指示フィールドは、前記データチャネルに対応する送信ビームの番号を含む前記指示情報を含み、前記指示情報は前記ネットワーク機器が前記第１のビームグループ内の前記番号に対応する送信ビームを使用してデータチャネルを送信することを具体的に指示し、前記複数の設定情報内の第１の設定情報は、前記第１のビームグループに対応し、前記第１の設定情報は、前記ネットワーク機器が予め設定した、前記端末機器が前記データチャネルを受信するための設定情報である。
【０１２７】
一つの実施例として、前記送受信ユニット４１０は、さらに、
前記端末機器に第１の設定指示情報を含む第１のシグナリングを送信することに用いられ、但し、前記第１の設定指示情報は、前記ネットワーク機器が前記複数の設定情報内の前記第１の設定情報を使用して前記データチャネルを送信することを指示する。
【０１２８】
一つの実施例として、前記下り伝送チャネルは、データチャネルを含み、前記下り伝送チャネルに対応するビームは、前記データチャネルに対応する受信ビームを含み、
前記送受信ユニット４１０は、さらに、前記端末機器に第２のビームグループ内のビームを介してＰＤＣＣＨを送信するために用いられ、但し、前記ＰＤＣＣＨの第２の指示フィールドは、前記データチャネルに対応する受信ビームの識別情報を含む指示情報を含み、前記指示情報は、前記端末機器に前記識別情報に対応する受信ビームを使用して前記データチャネルを受信するように具体的に指示する。
【０１２９】
一つの実施例として、前記下り伝送チャネルは、データチャネルを含み、前記下り伝送チャネルに対応するビームは、前記データチャネルに対応する送信ビームを含み、
前記送受信ユニット４１０は、さらに、第３のビームグループ内のビームを介して前記端末機器にＰＤＣＣＨを送信するために用いられ、但し、前記ＰＤＣＣＨの第３の指示フィールドは、データチャネルに対応する送信ビームの第４のビームグループ内での番号を含む前記指示情報を含み、前記指示情報は、前記ネットワーク機器が前記第４のビームグループ内の前記番号に対応する送信ビームを使用してデータチャネルを送信することを具体的に指示し、前記複数の設定情報内の第２の設定情報は、前記第４のビームグループに対応し、前記第２の設定情報は、前記ネットワーク機器が予め設定した、前記端末機器が前記データチャネルを受信するための設定情報である。
【０１３０】
一つの実施例として、前記送受信ユニット４１０は、さらに、
前記端末機器に第２のシグナリングを送信するために用いられ、但し、前記第２のシグナリングは、前記ネットワーク機器が前記複数の設定情報のうち前記第２の設定情報を使用してデータチャネルを送信することを指示する第２の設定指示情報を含む。
【０１３１】
一つの実施例として、前記第２のシグナリングは、ＲＲＣシグナリング又はＤＣＩである。
【０１３２】
一つの実施例として、前記送受信ユニット４１０は、さらに、
前記端末機器にＰＤＣＣＨを送信するために用いられ、但し、前記ＰＤＣＣＨは、前記ネットワーク機器に使用される、データチャネルを送信するための設定情報を指示する第３の設定指示情報を含む。
【０１３３】
すなわち、前記第３の設定指示情報は、前記ネットワーク機器が前記複数の設定情報のうちどの設定情報を使用してデータチャネルを送信するかを指示する。
【０１３４】
一つの実施例として、前記少なくとも１つのデータ伝送用リソースマッピング情報は、複数のデータ伝送用リソースマッピング情報を含み、
前記送受信ユニット４１０は、さらに、前記端末機器にＰＤＣＣＨを送信するために用いられ、但し、前記ＰＤＣＣＨは、前記ネットワーク機器が前記下り伝送チャネルの伝送に使用するデータ伝送用リソースマッピング情報を指示する第４の指示フィールドを含む。
【０１３５】
すなわち、第４の指示フィールドは、前記ネットワーク機器が前記複数のデータ伝送用リソースマッピング情報のうちどのデータ伝送用リソースマッピング情報を使用するかを指示する。
【０１３６】
一つの実施例として、前記下り伝送チャネルは、データチャネルを含み、前記下り伝送チャネルに対応するビームは、前記データチャネルに対応する送信ビームを含み、
前記送受信ユニット４１０は、さらに、第５のビームグループ内のビームを介して前記端末機器にＰＤＣＣＨを送信するために用いられ、但し、前記ＰＤＣＣＨの第５の指示フィールドは、データチャネルに対応する送信ビームの第６のビームグループ内での番号を含む前記指示情報を含み、前記指示情報は、前記ネットワーク機器が前記第６のビームグループ内の前記番号に対応する送信ビームを使用して前記データチャネルを送信することを具体的に指示し、但し、前記第５のビームグループは、前記第６のビームグループに関連するビームグループである。
【０１３７】
一つの実施例として、前記送受信ユニット４１０は、さらに、
前記端末機器に前記複数の設定情報を送信するために用いられる。
【０１３８】
当該ネットワーク機器４００は、方法２００におけるネットワーク機器に対応し、当該ネットワーク機器の対応する機能を実施することができるものであると理解すべきで、ここでは、重複を避けるために詳細な説明を省略する。
【０１３９】
図５は、本願の実施例による端末機器を示すブロック図である。図５における端末機器５００は、
ネットワーク機器から送信される指示情報を受信するために用いられ、但し、前記指示情報は、下り伝送チャネルを伝送するための、複数の設定情報のうち前記ネットワーク機器によって決定された前記下り伝送チャネルに対応するビームを指示し、前記複数の設定情報内の各設定情報は、少なくとも１つの送信ビームの情報、前記少なくとも１つの送信ビームに対応する受信ビームの情報、及び前記下り伝送に使用できるか又は使用できないリソースを指示するリソースマッピング情報のうち、少なくとも１つを含む受信ユニット５１０と、
前記指示情報に応じて前記下り伝送チャネルに対応する受信ビームを決定するために用いられる決定ユニット５２０と、を含み、
前記受信ユニット５１０は、さらに、前記下り伝送チャネルに対応する受信ビームを介して前記下り伝送チャネルを受信するために用いられる。
【０１４０】
一つの実施例として、前記各設定情報は、１つのビームグループに対応し、
前記少なくとも１つの送信ビームの情報における各送信ビームの情報は、前記各送信ビームの識別情報、前記各送信ビームの固有のリソース占用の情報、及び前記各送信ビームが所属するビームグループ内での前記各送信ビームの番号のうち少なくとも1つを含む。
【０１４１】
一つの実施例として、前記少なくとも１つの送信ビームに対応する受信ビームの情報は、前記少なくとも１つの送信ビームに対応する受信ビームの識別情報を含む。
【０１４２】
一つの実施例として、前記リソースマッピング情報は、前記少なくとも１つの送信ビームの、下り伝送に使用できるリソース又は下り伝送に使用できないリソースを指示する、少なくとも１つのデータ伝送用リソースマッピング情報を含む。
【０１４３】
一つの実施例として、前記下り伝送チャネルは、データチャネルを含み、前記下り伝送チャネルに対応するビームは、前記データチャネルに対応する送信ビームを含み、
前記受信ユニット５１０は、さらに、第１のビームグループ内のビームを介してネットワーク機器から送信される物理的下り制御チャネルＰＤＣＣＨを受信するために用いられ、但し、前記ＰＤＣＣＨの第１の指示フィールドは、前記データチャネルに対応する送信ビームの番号を含む前記指示情報を含み、前記指示情報は、前記ネットワーク機器が前記第１のビームグループ内の前記番号に対応する送信ビームを使用してデータチャネルを送信することを具体的に指示し、前記複数の設定情報内の第１の設定情報は、前記第１のビームグループに対応し、前記第１の設定情報は、前記ネットワーク機器が予め設定した、前記端末機器が前記データチャネルを受信するための設定情報であり、
前記決定ユニット５２０は、具体的には、
前記番号に対応する送信ビームに応じて前記送信ビームに対応する受信ビームを決定することに用いられ、
前記受信ユニット５１０は、具体的には、
前記送信ビームに対応する受信ビームを介して前記データチャネルを受信するために用いられる。
【０１４４】
一つの実施例として、前記受信ユニット５１０は、さらに、
前記ネットワーク機器から送信される第１のシグナリングを受信するために用いられ、但し、前記第１のシグナリングは、前記ネットワーク機器が前記複数の設定情報内の第１の設定情報を使用して前記データチャネルを送信することを指示する第１の設定指示情報を含む。
【０１４５】
一つの実施例として、前記下り伝送チャネルは、データチャネルを含み、前記下り伝送チャネルに対応するビームは、前記データチャネルに対応する受信ビームを含み、
前記受信ユニット５１０は、さらに、第２のビームグループ内のビームを介して前記ネットワーク機器から送信されるＰＤＣＣＨを受信するために用いられ、但し、前記ＰＤＣＣＨの第２の指示フィールドは、前記データチャネルに対応する受信ビームの識別情報を含む前記指示情報を含み、前記指示情報は、前記端末機器に前記識別情報に対応する受信ビームを使用して前記データチャネルを受信するように具体的に指示する。
【０１４６】
一つの実施例として、前記下り伝送チャネルは、データチャネルを含み、前記下り伝送チャネルに対応するビームは、前記データチャネルに対応する送信ビームを含み、
前記受信ユニット５１０は、さらに、第３のビームグループ内のビームを介して前記ネットワーク機器から送信されるＰＤＣＣＨを受信するために用いられ、但し、前記ＰＤＣＣＨの第３の指示フィールドは、データチャネルに対応するビームの第４のビームグループ内での番号を含む前記指示情報を含み、前記指示情報は、前記ネットワーク機器が前記第４のビームグループ内の前記番号に対応する送信ビームを使用してデータチャネルを送信することを具体的に指示し、前記複数の設定情報内の第２の設定情報は、前記第４のビームグループに対応し、前記第２の設定情報は、前記ネットワーク機器が予め設定した、前記端末機器が前記データチャネルを受信するための設定情報である。
【０１４７】
一つの実施例として、前記受信ユニット５１０は、さらに
前記ネットワーク機器から送信される第２のシグナリングを受信するために用いられ、但し、前記第２のシグナリングは、前記ネットワーク機器が前記複数の設定情報内の第２の設定情報を使用してデータチャネルを送信することを指示する第２の設定指示情報を含む。
【０１４８】
一つの実施例として、前記第２のシグナリングは、ＲＲＣシグナリング又はＤＣＩである。
【０１４９】
一つの実施例として、前記送受信ユニットは、さらに、
前記ネットワーク機器から送信されるＰＤＣＣＨを受信するために用いられ、但し、前記ＰＤＣＣＨは、前記ネットワーク機器に使用される、データチャネルを送信するための設定情報を指示する第３の設定指示情報を含む。
【０１５０】
すなわち、前記第３の設定指示情報は、前記ネットワーク機器が前記複数の設定情報のうちどの設定情報を使用してデータチャネルを送信するかを指示する。
【０１５１】
一つの実施例として、前記少なくとも１つのデータ伝送用リソースマッピング情報は、複数のデータ伝送用リソースマッピング情報を含み、
前記受信ユニット５１０は、さらに、前記ネットワーク機器から送信されるＰＤＣＣＨを受信するために用いられ、但し、前記ＰＤＣＣＨは、前記ネットワーク機器が下り伝送チャネルの伝送に使用するデータ伝送用リソースマッピング情報を指示する第４の指示フィールドを含む。
【０１５２】
すなわち、前記第４の指示フィールドは、前記ネットワーク機器が前記複数のデータ伝送用リソースマッピング情報のうちどのデータ伝送用リソースマッピング情報を使用して下り伝送チャネルを伝送するかを指示する。
【０１５３】
一つの実施例として、前記下り伝送チャネルは、データチャネルを含み、前記下り伝送チャネルに対応するビームは、前記データチャネルに対応する送信ビームを含み、
前記受信ユニット５１０は、さらに、第５のビームグループ内のビームを介して前記ネットワーク機器から送信されるＰＤＣＣＨを受信するために用いられ、但し、前記ＰＤＣＣＨの第５の指示フィールドは、データチャネルに対応する送信ビームの第６のビームグループ内での番号を含む前記指示情報を含み、前記指示情報は、前記ネットワーク機器が前記第６のビームグループ内の前記番号に対応する送信ビームを使用して前記データチャネルを送信することを具体的に指示し、前記第５のビームグループは、前記第６のビームグループに関連するビームグループである。
【０１５４】
一つの実施例として、前記受信ユニット５１０は、さらに、
前記ネットワーク機器から送信される前記複数の設定情報を受信するにことに用いられる。
【０１５５】
当該端末機器５００は、方法３００における端末機器に対応し、当該端末機器の対応する機能を実施することができるものであると理解すべきで、ここでは、重複を避けるために詳細な説明を省略する。
【０１５６】
図６は、本願の実施例によるネットワーク機器を示すブロック図である。図６におけるネットワーク機器６００は、プログラムを記憶するためのメモリ６１０と、プログラムを実行するためのプロセッサー６２０と、トランシーバー６３０とを含み、前記プログラムが実行される時、前記プロセッサー６２０は、トランシーバー６３０を制御して端末機器に指示情報を送信するために用いられ、前記指示情報は、複数の設定情報内の前記ネットワーク機器によって決定された下り伝送チャネルに対応するビームを指示し、前記下り伝送チャネルに対応するビームは、前記下り伝送チャネルの伝送に用いられ、前記複数の設定情報内の各設定情報は、少なくとも１つの送信ビームの情報、前記少なくとも１つの送信ビームに対応する受信ビームの情報、及び前記少なくとも１つの送信ビームの下り伝送に使用できるか又は使用できないリソースを指示するリソースマッピング情報のうち少なくとも１つを含み、前記下り伝送チャネルに対応するビームで前記下り伝送チャネルを伝送する。
【０１５７】
一つの実施例として、前記各設定情報は、１つのビームグループに対応し、前記少なくとも１つの送信ビームの情報における各送信ビームの情報は、前記各送信ビームの識別情報、前記各送信ビームの固有のリソース占用の情報、及び前記各設定情報に対応するビームグループにおける前記各送信ビームの番号のうち、少なくとも１つを含む。
【０１５８】
一つの実施例として、前記少なくとも１つの送信ビームに対応する受信ビームの情報は、前記少なくとも１つの送信ビームに対応する受信ビームの識別情報を含む。
【０１５９】
一つの実施例として、前記リソースマッピング情報は、前記少なくとも１つの送信ビームの、下り伝送に使用できるリソース又は下り伝送に使用できないリソースを指示する、少なくとも１つのデータ伝送用リソースマッピング情報を含む。
【０１６０】
一つの実施例として、前記下り伝送チャネルは、データチャネルを含み、前記下り伝送チャネルに対応するビームは、前記データチャネルに対応する送信ビームを含み、
前記トランシーバー６３０は、さらに、第１のビームグループ内のビームを介して前記端末機器に物理的下り制御チャネルＰＤＣＣＨを送信することに用いられ、但し、前記ＰＤＣＣＨの第１の指示フィールドは、前記データチャネルに対応する送信ビームの番号を含む前記指示情報を含み、前記指示情報は前記ネットワーク機器が前記第１のビームグループ内の前記番号に対応する送信ビームを使用してデータチャネルを送信することを具体的に指示し、前記複数の設定情報内の第１の設定情報は、前記第１のビームグループに対応し、前記第１の設定情報は、前記ネットワーク機器が予め設定した、前記端末機器が前記データチャネルを受信するための設定情報である。
【０１６１】
一つの実施例として、前記トランシーバー６３０は、さらに、
前記端末機器に第１の設定指示情報を含む第１のシグナリングを送信することに用いられ、但し、前記第１の設定指示情報は、前記ネットワーク機器が前記複数の設定情報内の前記第１の設定情報を使用して前記データチャネルを送信することを指示する。
【０１６２】
一つの実施例として、前記下り伝送チャネルは、データチャネルを含み、前記下り伝送チャネルに対応するビームは、前記データチャネルに対応する受信ビームを含み、
前記トランシーバー６３０は、さらに、前記端末機器に第２のビームグループ内のビームを介してＰＤＣＣＨを送信するために用いられ、但し、前記ＰＤＣＣＨの第２の指示フィールドは、前記データチャネルに対応する受信ビームの識別情報を含む前記指示情報を含み、前記指示情報は、前記端末機器に前記識別情報に対応する受信ビームを使用してデータチャネルを受信するように具体的に指示する。
【０１６３】
一つの実施例として、前記下り伝送チャネルは、データチャネルを含み、前記下り伝送チャネルに対応するビームは、前記データチャネルに対応する送信ビームを含み、
前記トランシーバー６３０は、さらに、第３のビームグループ内のビームを介して前記端末機器にＰＤＣＣＨを送信するために用いられ、但し、前記ＰＤＣＣＨの第３の指示フィールドは、データチャネルに対応する送信ビームの第４のビームグループ内での前記番号を含む前記指示情報を含み、前記指示情報は、前記ネットワーク機器が前記第４のビームグループ内の前記番号に対応する送信ビームを使用してデータチャネルを送信することを具体的に指示し、前記複数の設定情報内の第２の設定情報は、前記第４のビームグループに対応し、前記第２の設定情報は、前記ネットワーク機器が予め設定した、前記端末機器が前記データチャネルを受信するための設定情報である。
【０１６４】
一つの実施例として、前記トランシーバー６３０は、さらに、
前記端末機器に第２のシグナリングを送信するために用いられ、但し、前記第２のシグナリングは、前記ネットワーク機器が前記複数の設定情報のうち前記第２の設定情報を使用してデータチャネルを送信することを指示する第２の設定指示情報を含む。
【０１６５】
一つの実施例として、前記第２のシグナリングは、ＲＲＣシグナリング又はＤＣＩである。
【０１６６】
一つの実施例として、前記トランシーバー６３０は、さらに、
前記端末機器にＰＤＣＣＨを送信するために用いられ、但し、前記ＰＤＣＣＨは、前記ネットワーク機器に使用される、データチャネルを送信するための設定情報を指示する第３の設定指示情報を含む。
【０１６７】
すなわち、前記第３の設定指示情報は、前記ネットワーク機器が前記複数の設定情報のうちどの設定情報を使用してデータチャネルを送信するかを指示する。
【０１６８】
一つの実施例として、前記少なくとも１つのデータ伝送用リソースマッピング情報は、複数のデータ伝送用リソースマッピング情報を含み、
前記トランシーバー６３０は、さらに、前記端末機器にＰＤＣＣＨを送信するために用いられ、但し、前記ＰＤＣＣＨは、前記ネットワーク機器が前記下り伝送チャネルの伝送に使用するデータ伝送用リソースマッピング情報を指示する第４の指示フィールドを含む。
【０１６９】
すなわち、前記第４の指示フィールドは、前記ネットワーク機器が前記複数のデータ伝送用リソースマッピング情報のうちどのデータ伝送用リソースマッピング情報を使用するかを指示する。
【０１７０】
一つの実施例として、前記下り伝送チャネルは、データチャネルを含み、前記下り伝送チャネルに対応するビームは、前記データチャネルに対応する送信ビームを含み、
前記トランシーバー６３０は、さらに、第５のビームグループ内のビームを介して前記端末機器にＰＤＣＣＨを送信するために用いられ、但し、前記ＰＤＣＣＨの第５の指示フィールドは、データチャネルに対応する送信ビームの第６のビームグループ内での番号を含む前記指示情報を含み、前記指示情報は、前記ネットワーク機器が前記第６のビームグループ内の前記番号に対応する送信ビームを使用して前記データチャネルを送信することを具体的に指示し、但し、前記第５のビームグループは、前記第６のビームグループに関連するビームグループである。
【０１７１】
一つの実施例として、前記トランシーバー６３０は、さらに、
前記端末機器に前記複数の設定情報を送信するために用いられる。
【０１７２】
当該ネットワーク機器６００は、方法２００におけるネットワーク機器に対応することができ、当該ネットワーク機器の対応する機能を実施することができるものであると理解すべきで、ここでは、重複を避けるために詳細な説明を省略する。
【０１７３】
図７は、本願の実施例による端末機器を示すブロック図である。図７の端末機器７００は、プログラムを記憶するためのメモリ７１０と、プログラムを実行するためのプロセッサー７２０と、トランシーバー７３０とを含み、前記プログラムが実行される時、前記プロセッサー７２０は、トランシーバー７３０を制御してネットワーク機器から送信される指示情報を受信するために用いられ、前記指示情報は、下り伝送チャネルを伝送するための、複数の設定情報のうち前記ネットワーク機器によって決定された前記下り伝送チャネルに対応するビームを指示し、前記複数の設定情報内の各設定情報は、少なくとも１つの送信ビームの情報、前記少なくとも１つの送信ビームに対応する受信ビームの情報、及び前記下り伝送に使用できるか又は使用できないリソースを指示するリソースマッピング情報のうち少なくとも１つを含み、
前記プロセッサー７２０は、さらに、前記指示情報に応じて前記下り伝送チャネルに対応する受信ビームを決定するために用いられ、
前記トランシーバー７３０は、さらに、前記下り伝送チャネルに対応する受信ビームを介して前記下り伝送チャネルを受信するために用いられる。
【０１７４】
一つの実施例として、前記各設定情報は、１つのビームグループに対応し、
前記少なくとも１つの送信ビームの情報における各送信ビームの情報は、前記各送信ビームの識別情報、前記各送信ビームの固有のリソース占用の情報、及び前記各送信ビームが所属するビームグループ内での前記各送信ビームの番号のうち少なくとも1つを含む。
【０１７５】
一つの実施例として、前記少なくとも１つの送信ビームに対応する受信ビームの情報は、前記少なくとも１つの送信ビームに対応する受信ビームの識別情報を含む。
【０１７６】
一つの実施例として、前記リソースマッピング情報は、前記少なくとも１つの送信ビームの、下り伝送に使用できるリソース又は下り伝送に使用できないリソースを指示する、少なくとも１つのデータ伝送用リソースマッピング情報を含む。
【０１７７】
一つの実施例として、前記下り伝送チャネルは、データチャネルを含み、前記下り伝送チャネルに対応するビームは、前記データチャネルに対応する送信ビームを含み、
前記トランシーバー７３０は、さらに、第１のビームグループ内のビームを介してネットワーク機器から送信される物理的下り制御チャネルＰＤＣＣＨを受信するために用いられ、但し、前記ＰＤＣＣＨの第１の指示フィールドは、前記データチャネルに対応する送信ビームの番号を含む前記指示情報を含み、前記指示情報は、前記ネットワーク機器が前記第１のビームグループ内の前記番号に対応する送信ビームを使用してデータチャネルを送信することを具体的に指示し、前記複数の設定情報内の第１の設定情報は、前記第１のビームグループに対応し、前記第１の設定情報は、前記ネットワーク機器が予め設定した、前記端末機器が前記データチャネルを受信するための設定情報であり、
前記プロセッサー７２０は、具体的には、
前記番号に対応する送信ビームに応じて前記送信ビームに対応する受信ビームを決定することに用いられ、
前記トランシーバー７３０は、具体的には、
前記送信ビームに対応する受信ビームを介して前記データチャネルを受信するために用いられる。
【０１７８】
一つの実施例として、前記トランシーバー７３０は、さらに、
前記ネットワーク機器から送信される第１のシグナリングを受信するために用いられ、但し、前記第１のシグナリングは、前記ネットワーク機器が前記複数の設定情報内の第１の設定情報を使用して前記データチャネルを送信することを指示する第１の設定指示情報を含む。
【０１７９】
一つの実施例として、前記下り伝送チャネルは、データチャネルを含み、前記下り伝送チャネルに対応するビームは、前記データチャネルに対応する受信ビームを含み、
前記トランシーバー７３０は、さらに、第２のビームグループ内のビームを介して前記ネットワーク機器から送信されるＰＤＣＣＨを受信するために用いられ、但し、前記ＰＤＣＣＨの第２の指示フィールドは、前記データチャネルに対応する受信ビームの識別情報を含む前記指示情報を含み、前記指示情報は、前記端末機器に前記識別情報に対応する受信ビームを使用してデータチャネルを受信するように具体的に指示する。
【０１８０】
一つの実施例として、前記下り伝送チャネルは、データチャネルを含み、前記下り伝送チャネルに対応するビームは、前記データチャネルに対応する送信ビームを含み、
前記トランシーバー７３０は、さらに、第３のビームグループ内のビームを介して前記ネットワーク機器から送信されるＰＤＣＣＨを受信するために用いられ、但し、前記ＰＤＣＣＨの第３の指示フィールドは、データチャネルに対応するビームの第４のビームグループ内での番号を含む前記指示情報を含み、前記指示情報は、前記ネットワーク機器が前記第４のビームグループ内の前記番号に対応する送信ビームを使用してデータチャネルを送信することを具体的に指示し、前記複数の設定情報内の第２の設定情報は、前記第４のビームグループに対応し、前記第２の設定情報は、前記ネットワーク機器が予め設定した、前記端末機器が前記データチャネルを受信するための設定情報である。
【０１８１】
一つの実施例として、前記トランシーバー７３０は、さらに、
前記ネットワーク機器から送信される第２のシグナリングを受信するために用いられ、但し、前記第２のシグナリングは、前記ネットワーク機器が前記複数の設定情報内の第２の設定情報を使用してデータチャネルを送信することを指示する第２の設定指示情報を含む。
【０１８２】
一つの実施例として、前記第２のシグナリングは、ＲＲＣシグナリング又はＤＣＩである。
【０１８３】
一つの実施例として、前記トランシーバー７３０は、さらに
前記ネットワーク機器から送信されるＰＤＣＣＨを受信するために用いられ、但し、前記ＰＤＣＣＨは、前記ネットワーク機器に使用される、データチャネルを送信するための設定情報を指示する第３の設定指示情報を含む。
【０１８４】
すなわち、前記第３の設定指示情報は、前記ネットワーク機器が前記複数の設定情報のうちどの設定情報を使用してデータチャネルを送信するかを指示する。
【０１８５】
一つの実施例として、前記少なくとも１つのデータ伝送用リソースマッピング情報は、複数のデータ伝送用リソースマッピング情報を含み、
前記トランシーバー７３０は、さらに、前記ネットワーク機器から送信されるＰＤＣＣＨを受信するために用いられ、但し、前記ＰＤＣＣＨは、前記ネットワーク機器が下り伝送チャネルの伝送に使用するデータ伝送用リソースマッピング情報を指示する第４の指示フィールドを含む。
【０１８６】
すなわち、前記第４の指示フィールドは、前記ネットワーク機器が前記複数のデータ伝送用リソースマッピング情報のうちどのデータ伝送用リソースマッピング情報を使用して下り伝送チャネルを伝送するかを指示する。
【０１８７】
一つの実施例として、前記下り伝送チャネルは、データチャネルを含み、前記下り伝送チャネルに対応するビームは、前記データチャネルに対応する送信ビームを含み、
前記トランシーバー７３０は、さらに、第５のビームグループ内のビームを介して前記ネットワーク機器から送信されるＰＤＣＣＨを受信することに用いられ、但し、前記ＰＤＣＣＨの第５の指示フィールドは、データチャネルに対応する送信ビームの第６のビームグループ内での番号を含む前記指示情報を含み、前記指示情報は、前記ネットワーク機器が第６のビームグループ内の前記番号に対応する送信ビームを使用して前記データチャネルを送信することを具体的に指示し、前記第５のビームグループは、前記第６のビームグループに関連するビームグループである。
【０１８８】
一つの実施例として、前記トランシーバー７３０は、さらに、
前記ネットワーク機器から送信される前記複数の設定情報を受信するにことに用いられる。
【０１８９】
当該端末機器７００は、方法３００における端末機器に対応することができ、当該端末機器の対応する機能を実施することができるものであると理解すべきで、ここでは、重複を避けるために詳細な説明を省略する。
【０１９０】
本明細書において、用語「及び／又は」は、関連対象の関連関係を説明するだけのもので、３つの関係があり得ることを表すと理解すべきであり、例えば、Ａ及び／又はＢは、Ａだけある場合、ＡとＢ両方ともある場合、Ｂだけある場合など３つの場合を表す。また、本明細書において、符号「／」は、一般的にコンテキストオブジェクトが「又は」という関係であることを示す。
【０１９１】
本願の様々な実施例において、上記各プロセスの番号は実行順序を意味せず、各プロセスの実行順序はその機能及び内部論理によって決定されるべきであり、本願の実施例の実施プロセスを何ら限定するものではないと理解すべきである。
【０１９２】
当業者は、本明細書に開示されている各実施例に記載の様々な例のユニットおよびアルゴリズムステップは、電子ハードウェア、またはコンピュータソフトウェアと電子ハードウェアの組み合わせにより実施され得ることを理解するであろう。これらの機能をハードウェアで実行するかまたはソフトウェアで実行するかは、技術的解決手段の特定の用途及び設計上の制限条件によって異なる。当業者は、各特定の用途に対して異なる方法で記載の機能を実施することができ、このような実施は、本願の範囲内のものと見なすべきである。
【０１９３】
当業者であれば明確に理解することができ、説明の便宜および簡潔さのため、上記のシステム、装置及びユニットの具体的な動作プロセスについては前述の方法実施例の対応するプロセスを参照すればよく、ここでは詳細な説明を省略する。
【０１９４】
なお、本願に係るいくつかの実施例に開示されているシステム、装置及び方法は、その他の形態で実施されることができる。例えば、上述した装置実施例は、例示的なものに過ぎず、例えば、前記ユニットの分割は、論理的な機能分割に過ぎず、実際に実施する際にその他の形態で分割することもでき、例えば、複数のユニットまたはモジュールを組み合わせてもよく別のシステムに集積してもよく、または一部の特徴を無視するか実行しなくてもよい。また、示す又は説明される相互結合、直接結合または通信接続は、一部のインタフェース、装置またはユニットを介して間接的に結合されるものまたは通信接続されるものであってもよく、電気的、機械的もしくはその他の形態であってもよい。
【０１９５】
分離されている部品として説明した前記ユニットは、物理的に分離したものであってもなくてもよい。ユニットとして表示された各部品は、物理的なユニットであってもなくてもよく、すなわち、同一の場所に設けられても、複数のネットワークユニットに配置されてもよい。実際の必要性に応じて、一部のユニットまたは全てのユニットを用いて本実施例の目的を実現することができる。
【０１９６】
また、本発明の各実施例において、各機能ユニットは、１つの処理ユニットに集積されても、物理的に別々の部品として存在しても、２つ以上のユニットが１つのユニットに集積されてもよい。
【０１９７】
前記機能は、ソフトウェアの機能ユニットの形態で実施されて、独立した製品として販売または使用される場合、コンピュータによって可読記憶媒体に格納できる。このような理解に基づいて、本願の技術的解決手段は、本質上既存の技術に貢献がある部分或いは当該技術的解決手段の一部は、ソフトウェア製品の形態で具現化されることができ、当該コンピュータソフトウェア製品は記憶媒体に格納され、コンピュータデバイス（パソコン、サーバ、またはネットワーク機器など）に本願の各実施例に係るすべての方法または一部の方法を実行させるためのいくつかのコマンドを含む。前記記憶媒体は、ＵＳＢフラッシュメモリ、モバイルハードディスク、読み取り専用メモリ（Ｒｅａｄ−Ｏｎｌｙ  Ｍｅｍｏｒｙ、略称ＲＯＭ）、ランダムアクセスメモリ（Ｒａｎｄｏｍ  Ａｃｃｅｓｓ  Ｍｅｍｏｒｙ、略称ＲＡＭ）、磁気ディスクもしくはコンパクトディスクなど、プロクラムコードを格納できる様々な媒体を含む。
【０１９８】
以上、本願の具体的な実施形態について説明したが、本願の保護範囲はこれらに限定されず、当業者であれば、本願に開示された技術的範囲内で容易に変更や置換することが想到でき、いずれも本願の保護範囲に含まれるべきである。したがって、本願の保護範囲は、特許請求の範囲に記載の内容に準拠するものとする。
【図２】
0006982079.tif 000002
【図３】
0006982079.tif 000003
【図４】
0006982079.tif 000004
【図５】
0006982079.tif 000005
【図６】
0006982079.tif 000006
【図７】
0006982079.tif 000007